(57)【特許請求の範囲】
【請求項１】
端末が、ＰＤＣＣＨ信号をモニタリングする方法であって、
ＦＤＤ半二重動作を行うステップと、
ＤＲＸが設定された場合、ＰＤＣＣＨ信号をモニタリングするかどうかを決定するステップであって、ダウンリンクサブフレームが前記ＦＤＤ半二重動作のためのアップリンク送信に対して要求されない場合、前記ダウンリンクサブフレームが設定された測定ギャップの一部ではない場合、及び前記ダウンリンクサブフレームがアップリンクサブフレームの直前に位置しない場合、活性時間の間に前記ダウンリンクサブフレーム上において前記ＰＤＣＣＨ信号がモニタリングされる、ステップと、
前記ダウンリンクサブフレームが前記アップリンクサブフレームの直前に位置する場合、ＣＳＩを測定するための有効なサブフレームとして前記アップリンクサブフレームの直前に位置する前記ダウンリンクサブフレームを決定しないステップと、
前記端末が前記ＦＤＤ半二重動作のためのカバレッジ拡張を伴い構成される場合、ＰＤＳＣＨ信号の繰り返しを受信するステップと、
前記ＰＤＳＣＨ信号の繰り返しとオーバラップされることを除いた複数のアップリンクサブフレーム上でＰＵＳＣＨ信号の繰り返しを送信するステップと、
を有することを特徴とする、ＰＤＣＣＨモニタリング方法。
【請求項２】
前記ダウンリンクサブフレームが前記アップリンクサブフレームの直前に位置する場合、前記ダウンリンクサブフレームの一部または全体を受信しないことによって、前記ダウンリンクサブフレーム内に保護区間が生成される、請求項１に記載のＰＤＣＣＨモニタリング方法。
【請求項３】
前記ダウンリンクサブフレーム内に前記保護区間が生成される場合、前記ダウンリンクサブフレーム内で前記ＰＤＣＣＨ信号はモニタリングされない、請求項２に記載のＰＤＣＣＨモニタリング方法。
【請求項４】
前記ダウンリンクサブフレームが前記アップリンクサブフレームの直前に位置する場合、前記活性時間の間に前記ダウンリンクサブフレーム上において前記ＰＤＣＣＨ信号はモニタリングされない、請求項１に記載のＰＤＣＣＨモニタリング方法。
【請求項５】
前記ダウンリンクサブフレームが前記アップリンクサブフレームの直前に位置する場合、前記ダウンリンクサブフレームの一部または全体を受信しないことによって、前記ダウンリンクサブフレーム内に保護区間が生成される、請求項４に記載のＰＤＣＣＨモニタリング方法。
【請求項６】
前記ダウンリンクサブフレーム内に前記保護区間が生成される場合、前記ダウンリンクサブフレーム上において前記ＰＤＣＣＨ信号はモニタリングされない、請求項５に記載のＰＤＣＣＨモニタリング方法。
【請求項７】
前記ＦＤＤ半二重動作が行われるとき、前記ダウンリンクサブフレーム上における受信と前記アップリンクサブフレーム上における送信は同時に行われない、請求項１に記載のＰＤＣＣＨモニタリング方法。
【請求項８】
ＰＤＣＣＨ信号をモニタリングする端末であって、
ＲＦ部と、
前記ＲＦ部を制御し、ＦＤＤ半二重動作を行い、ＤＲＸが設定された場合、ＰＤＣＣＨ信号をモニタリングするかどうかを決定するよう構成されたプロセッサと、を備え、
ダウンリンクサブフレームが前記ＦＤＤ半二重動作のためのアップリンク送信に対して要求されない場合、前記ダウンリンクサブフレームが設定された測定ギャップの一部ではない場合、及び前記ダウンリンクサブフレームがアップリンクサブフレームの直前に位置しない場合、活性時間の間に前記ダウンリンクサブフレーム上において前記ＰＤＣＣＨ信号がモニタリングされ、
前記ダウンリンクサブフレームが前記アップリンクサブフレームの直前に位置する場合、前記プロセッサは、ＣＳＩを測定するための有効なサブフレームとして前記アップリンクサブフレームの直前に位置する前記ダウンリンクサブフレームを決定しないよう更に構成され、
前記端末が前記ＦＤＤ半二重動作のためのカバレッジ拡張を伴い構成される場合、前記プロセッサは、ＰＤＳＣＨ信号の繰り返しを受信するよう更に構成され、
前記プロセッサは、前記ＰＤＳＣＨ信号の繰り返しとオーバラップされることを除いた複数のアップリンクサブフレーム上でＰＵＳＣＨ信号の繰り返しを送信するよう更に構成されることを特徴とする、端末。
【請求項９】
前記ダウンリンクサブフレームが前記アップリンクサブフレームの直前に位置する場合、前記ダウンリンクサブフレームの一部または全体を受信しないことによって、前記ダウンリンクサブフレーム内に保護区間が生成される、請求項８に記載の端末。
【請求項１０】
前記ダウンリンクサブフレーム内に前記保護区間が生成される場合、前記ダウンリンクサブフレーム内で前記ＰＤＣＣＨ信号はモニタリングされない、請求項９に記載の端末。
【請求項１１】
前記ダウンリンクサブフレームが前記アップリンクサブフレームの直前に位置する場合、前記活性時間の間に前記ダウンリンクサブフレーム上において前記ＰＤＣＣＨ信号はモニタリングされない、請求項８に記載の端末。
【請求項１２】
前記ダウンリンクサブフレームが前記アップリンクサブフレームの直前に位置する場合、前記ダウンリンクサブフレームの一部または全体を受信しないことによって、前記ダウンリンクサブフレーム内に保護区間が生成される、請求項１１に記載の端末。
【請求項１３】
前記ダウンリンクサブフレーム内に前記保護区間が生成される場合、前記ダウンリンクサブフレーム上において前記ＰＤＣＣＨ信号はモニタリングされない、請求項１２に記載の端末。
【請求項１４】
前記ダウンリンクサブフレームはダウンリンク搬送波内に位置し、前記アップリンクサブフレームはアップリンク搬送波内に位置する、請求項１に記載のＰＤＣＣＨモニタリング方法。
【発明の詳細な説明】
【技術分野】
【０００１】
本発明は、移動通信に関する。
【背景技術】
【０００２】
ＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の向上である３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)は、３ＧＰＰリリース(ｒｅｌｅａｓｅ)８で紹介されている。３ＧＰＰ ＬＴＥは、ダウンリンクでＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)を使用し、アップリンクでＳＣ−ＦＤＭＡ(Ｓｉｎｇｌｅ Ｃａｒｒｉｅｒ−ｆｒｅｑｕｅｎｃｙ ｄｉｖｉｓｉｏｎ ｍｕｌｔｉｐｌｅ ａｃｃｅｓｓ)を使用する。最大４個のアンテナを有するＭＩＭＯ(ｍｕｌｔｉｐｌｅ ｉｎｐｕｔ ｍｕｌｔｉｐｌｅ ｏｕｔｐｕｔ)を採用する。最近、３ＧＰＰ ＬＴＥの進化である３ＧＰＰ ＬＴＥ−Ａ(ＬＴＥ−Ａｄｖａｎｃｅｄ)に対する議論が進行中である。
【０００３】
３ＧＰＰ ＴＳ ３６.２１１ Ｖ１０.４.０(２０１１−１２)「Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ Ｃｈａｎｎｅｌｓ ａｎｄ Ｍｏｄｕｌａｔｉｏｎ(Ｒｅｌｅａｓｅ １０)」に開示されているように、ＬＴＥにおける物理チャネルは、ダウンリンクチャネルであるＰＤＳＣＨ(Ｐｈｙｓｉｃａｌ Ｄｏｗｎｌｉｎｋ Ｓｈａｒｅｄ Ｃｈａｎｎｅｌ)及びＰＤＣＣＨ(Ｐｈｙｓｉｃａｌ Ｄｏｗｎｌｉｎｋ Ｃｏｎｔｒｏｌ Ｃｈａｎｎｅｌ)と、アップリンクチャネルであるＰＵＳＣＨ(Ｐｈｙｓｉｃａｌ Ｕｐｌｉｎｋ Ｓｈａｒｅｄ Ｃｈａｎｎｅｌ)及びＰＵＣＣＨ(Ｐｈｙｓｉｃａｌ Ｕｐｌｉｎｋ Ｃｏｎｔｒｏｌ Ｃｈａｎｎｅｌ)とに分けられる。
【０００４】
一方、最近では、人との相互作用（ｈｕｍａｎ  ｉｎｔｅｒａｃｔｉｏｎ）無しで、すなわち人の介入無しで装置間または装置とサーバとの間に起きる通信、すなわちＭＴＣ（Ｍａｃｈｉｎｅ  Ｔｙｐｅ  Ｃｏｍｍｕｎｉｃａｔｉｏｎ）に対する研究が盛んになされている。ＭＴＣは、人間が使用する端末でない機械装置が従来の無線通信ネットワークを利用して通信する概念のことを言う。
【０００５】
ＭＴＣを利用した機器の特異性は、送信データ量が少なくアップ／ダウンリンクデータ送受信が時折り発生するから、このような低いデータ送信率に合せてＭＴＣ機器の単価を低くする代わりに、補給率を高めるほうがよいかもしれない。例えば、半二重（ｈａｌｆ−ｄｕｐｌｅｘ：ＨＤ）通信を適用することによって、ＭＴＣ機器の製造単価を低くし、それによって補給率を高めることができる。このとき、ＬＴＥ／ＬＴＥ−Ａは、ＴＤＤ方式とＦＤＤ方式とに区分されるが、ＭＴＣ機器は、半二重（ＨＤ）通信基盤のＦＤＤ方式を使用することができる。
【０００６】
しかしながら、従来の半二重（ＨＤ）通信基盤のＦＤＤ方式が技術的に具現化されていないから、事実上難しさがあった。
【発明の概要】
【発明が解決しようとする課題】
【０００７】
よって、本明細書の開示は、前述の問題点を解決することを目的とする。
【課題を解決するための手段】
【０００８】
上述の目的を達成すべく、本明細書の一開示は、ＰＤＣＣＨ（Ｐｈｙｓｉｃａｌ  Ｄｏｗｎｌｉｎｋ  Ｃｏｎｔｒｏｌ  Ｃｈａｎｎｅｌ）モニタリング方法を提供する。前記ＰＤＣＣＨモニタリング方法は、ＦＤＤ（ｆｒｅｑｕｅｎｃｙ  ｄｉｖｉｓｉｏｎ  ｄｕｐｌｅｘ）半二重（ｈａｌｆ−ｄｕｐｌｅｘ）動作を行うステップと、ＤＲＸ（ｄｉｓｃｏｎｔｉｎｕｏｕｓ  ｒｅｃｅｐｔｉｏｎ）が設定された場合、ＰＤＣＣＨをモニタリングするかどうかを決定するステップとを含むことができる。ここで、ダウンリンク搬送波のダウンリンクサブフレームがアップリンク搬送波のアップリンクサブフレームの直前に位置する場合、活性時間（ａｃｔｉｖｅ  ｔｉｍｅ）の間に前記ダウンリンクサブフレーム上において前記ＰＤＣＣＨをモニタリングできる。
【０００９】
一方、上述の目的を達成すべく、本明細書の一開示は、ＰＤＣＣＨをモニタリングする端末がまた提供される。前記端末は、ＲＦ部と、前記ＲＦ部を制御してＦＤＤ（ｆｒｅｑｕｅｎｃｙ  ｄｉｖｉｓｉｏｎ  ｄｕｐｌｅｘ）半二重（ｈａｌｆ−ｄｕｐｌｅｘ）動作を行う途中に、ＤＲＸ（ｄｉｓｃｏｎｔｉｎｕｏｕｓ  ｒｅｃｅｐｔｉｏｎ）が設定された場合、ＰＤＣＣＨをモニタリングするかどうかを決定するプロセッサを含むことができる。ここで、ダウンリンク搬送波のダウンリンクサブフレームがアップリンク搬送波のアップリンクサブフレームの直前に位置する場合、活性時間（ａｃｔｉｖｅ  ｔｉｍｅ）の間に前記ダウンリンクサブフレーム上において前記ＰＤＣＣＨをモニタリングできる。
【００１０】
前記ダウンリンク搬送波の前記ダウンリンクサブフレームが前記アップリンク搬送波の前記アップリンクサブフレームの直前に位置する場合、前記ダウンリンクサブフレームの一部または全体を受信しないことによって、前記ダウンリンクサブフレーム内に保護区間が生成されることができる。前記ダウンリンクサブフレームが保護区間サブフレームに該当する場合、前記ダウンリンクサブフレーム上において前記ＰＤＣＣＨをモニタリングしないことができる。
【００１１】
前記ダウンリンク搬送波の前記ダウンリンクサブフレームが前記アップリンク搬送波の前記アップリンクサブフレームの直後に位置しない場合、活性時間（ａｃｔｉｖｅｔｉｍｅ）間に前記ダウンリンクサブフレーム上において前記ＰＤＣＣＨをモニタリングできる。ここで、前記ダウンリンク搬送波の前記ダウンリンクサブフレームが前記アップリンク搬送波の前記アップリンクサブフレームの直後に位置した場合、前記ダウンリンクサブフレームの一部または全体を受信しないことによって、前記ダウンリンクサブフレーム内に保護区間が生成されることができる。ここで、前記ダウンリンクサブフレームが保護区間サブフレームに該当する場合、前記ダウンリンクサブフレーム上において前記ＰＤＣＣＨをモニタリングしないことができる。
【００１２】
前記ＦＤＤ半二重（ｈａｌｆ  ｄｕｐｌｅｘ）動作を行うことによって、前記ダウンリンク搬送波の前記ダウンリンクサブフレーム上における受信と前記アップリンク搬送波の前記アップリンクサブフレーム上における送信に同時に不可能になることができる。
【００１３】
前記ダウンリンク搬送波上において無線フレームは、１０個のダウンリンクサブフレームを含み、前記アップリンク搬送波上において無線フレームは、１０個のアップリンクサブフレームを含むことができる。
【発明の効果】
【００１４】
本明細書の開示によれば、上述の従来の技術の問題点が解決されるようになる。
【図面の簡単な説明】
【００１５】
【図１】無線通信システムである。
【図２】３ＧＰＰ  ＬＴＥにおいてＦＤＤに応じる無線フレーム（ｒａｄｉｏ  ｆｒａｍｅ）の構造を示す。
【図３】３ＧＰＰ  ＬＴＥにおいてＴＤＤに応じるダウンリンク無線フレームの構造を示す。
【図４】３ＧＰＰ  ＬＴＥにおいて一つのアップリンクまたはダウンリンクスロットに対する資源グリッド（ｒｅｓｏｕｒｃｅｇｒｉｄ）を示した例示図である。
【図５】ダウンリンクサブフレームの構造を示す。
【図６】ＤＲＸサイクルを示す。
【図７】３ＧＰＰ  ＬＴＥにおいて活性時間を示す。
【図８】参照信号のうち、ＣＳＩ−ＲＳがマッピングされるＲＢの一例を示す。
【図９】３ＧＰＰ  ＬＴＥにおいてアップリンクサブフレームの構造を示す。
【図１０Ａ】ＭＴＣ（Ｍａｃｈｉｎｅ  Ｔｙｐｅ  ｃｏｍｍｕｎｉｃａｔｉｏｎ）通信の一例を示す。
【図１０Ｂ】ＭＴＣ機器のためのセルカバレッジ拡張の例示である。
【図１１Ａ】ＰＤＣＣＨのバンドルとＰＤＳＣＨのバンドルが送信される例を示した例示図である。
【図１１Ｂ】ＰＤＣＣＨのバンドルとＰＤＳＣＨのバンドルが送信される例を示した例示図である。
【図１２Ａ】ダウンリンク搬送波とアップリンク搬送波上におけるＨＤＦＤＤ動作を示した一例である。
【図１２Ｂ】ダウンリンク搬送波とアップリンク搬送波上におけるＨＤＦＤＤ動作を示した一例である。
【図１３Ａ】ＨＤ−ＦＤＤのための保護区間を示した例示図である。
【図１３Ｂ】ＨＤ−ＦＤＤのための保護区間を示した例示図である。
【図１４Ａ】ＨＤ−ＦＤＤのための保護区間を示した他の例示図である。
【図１４Ｂ】ＨＤ−ＦＤＤのための保護区間を示した他の例示図である。
【図１５】保護区間によってＰＤＣＣＨを受信できない例を示した例示図である。
【図１６】保護区間を含む一つのサブフレームを示した例示図である。
【図１７】一実施の形態による方法を示したフローチャートである。
【図１８Ａ】ＰＵＣＣＨとＰＨＩＣＨとが互いに衝突する例を示す。
【図１８Ｂ】ＰＵＣＣＨとＰＨＩＣＨとが互いに衝突する例を示す。
【図１９Ａ】カバレッジ拡張が必要でないＭＴＣ機器のためのＨＤ−ＦＤＤ動作の一例を示した例示図である。
【図１９Ｂ】カバレッジ拡張が必要でないＭＴＣ機器のためのＨＤ−ＦＤＤ動作の他の例を示した例示図である。
【図２０】カバレッジ拡張が必要でないＭＴＣ機器のためのＨＤ−ＦＤＤ動作のさらに他の例を示した例示図である。
【図２１】ダウンリンク／アップリンクサブフレームパターンの一例を示す。
【図２２Ａ】カバレッジ拡張が必要なＭＴＣ機器のためのＨＤ−ＦＤＤ動作の一例を示した例示図である。
【図２２Ｂ】カバレッジ拡張が必要なＭＴＣ機器のためのＨＤ−ＦＤＤ動作の一例を示した例示図である。
【図２３Ａ】カバレッジ拡張が必要なＭＴＣ機器のためのＨＤ−ＦＤＤ動作の他の一例を示した例示図である。
【図２３Ｂ】カバレッジ拡張が必要なＭＴＣ機器のためのＨＤ−ＦＤＤ動作の他の一例を示した例示図である。
【図２４】本明細書の開示が具現される無線通信システムを示したブロック図である。
【発明を実施するための形態】
【００１６】
以下、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)または３ＧＰＰ ＬＴＥ−Ａ(ＬＴＥ−Ａｄｖａｎｃｅｄ)に基づいて本発明が適用されることを記述する。これは例示に過ぎず、本発明は、多様な無線通信システムに適用されることができる。以下、ＬＴＥとは、ＬＴＥ及び/またはＬＴＥ−Ａを含む。
【００１７】
本明細書で使われる技術的用語は、単に特定の実施例を説明するために使われたものであり、本発明を限定するものではないことを留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、事前定義によって、または前後文脈によって、解釈されなければならず、過度に縮小された意味で解釈されてはならない。
【００１８】
また、本明細書で使われる単数の表現は、文脈上、明白に異なる意味ではない限り、複数の表現を含む。本出願において、「構成される」または「含む」などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００１９】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２０】
一構成要素が他の構成要素に「連結されている」または「接続されている」と言及された場合、該当他の構成要素に直接的に連結されており、または接続されていることもあるが、中間に他の構成要素が存在することもある。それに対し、一構成要素が他の構成要素に「直接連結されている」または「直接接続されている」と言及された場合、中間に他の構成要素が存在しないと理解しなければならない。
【００２１】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことを留意しなければならない。本発明の思想は、添付図面外に全ての変更、均等物乃至代替物にまで拡張されると解釈されなければならない。
【００２２】
以下で使われる用語である基地局は、一般的に無線機器と通信する固定局(ｆｉｘｅｄ ｓｔａｔｉｏｎ)を意味し、ｅＮｏｄｅＢ(ｅｖｏｌｖｅｄ−ＮｏｄｅＢ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)等、他の用語で呼ばれることもある。
【００２３】
また、以下で使われる用語であるＵＥ(Ｕｓｅｒ Ｅｑｕｉｐｍｅｎｔ)は、固定されてもよいし、移動性を有してもよく、機器(Ｄｅｖｉｃｅ)、無線機器(Ｗｉｒｅｌｅｓｓ Ｄｅｖｉｃｅ)、端末(Ｔｅｒｍｉｎａｌ)、ＭＳ(ｍｏｂｉｌｅ ｓｔａｔｉｏｎ)、ＵＴ(ｕｓｅｒ ｔｅｒｍｉｎａｌ)、ＳＳ(ｓｕｂｓｃｒｉｂｅｒ ｓｔａｔｉｏｎ)、ＭＴ(ｍｏｂｉｌｅ ｔｅｒｍｉｎａｌ)等、他の用語で呼ばれることもある。
【００２４】
図１は、無線通信システムである。
【００２５】
図１を参照して分かるように、無線通信システムは、少なくとも一つの基地局(ｂａｓｅ ｓｔａｔｉｏｎ、ＢＳ)２０を含む。各基地局２０は、特定の地理的領域(一般的にセルという)２０ａ、２０ｂ、２０ｃに対して通信サービスを提供する。また、セルは、複数の領域(セクターという)に分けられる。
【００２６】
ＵＥは、通常的に、一つのセルに属し、ＵＥが属するセルをサービングセル(ｓｅｒｖｉｎｇ  ｃｅｌｌ)という。サービングセルに対して通信サービスを提供する基地局をサービング基地局(ｓｅｒｖｉｎｇ ＢＳ)という。無線通信システムは、セルラーシステム(ｃｅｌｌｕｌａｒ ｓｙｓｔｅｍ)であるため、サービングセルに隣接する他のセルが存在する。サービングセルに隣接する他のセルを隣接セル(ｎｅｉｇｈｂｏｒ ｃｅｌｌ)という。隣接セルに対して通信サービスを提供する基地局を隣接基地局(ｎｅｉｇｈｂｏｒ ＢＳ)という。サービングセル及び隣接セルは、ＵＥを基準に相対的に決定される。
【００２７】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００２８】
一方、無線通信システムは、大きくＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によれば、アップリンク送信とダウンリンク送信が互いに異なる周波数帯域を占めながらなされる。ＴＤＤ方式によれば、アップリンク送信とダウンリンク送信が同じ周波数帯域を占めながら、互いに異なる時間に行われる。ＴＤＤ方式のチャネル応答は、実質的に相互的（ｒｅｃｉｐｒｏｃａｌ）である。これは与えられた周波数領域においてダウンリンクチャネル応答とアップリンクチャネル応答がほぼ同一であるということである。したがって、ＴＤＤに基づいた無線通信システムにおいてダウンリンクチャネル応答は、アップリンクチャネル応答から得られることができるという長所がある。ＴＤＤ方式は、全体周波数帯域をアップリンク送信とダウンリンク送信が時分割されるので、基地局によるダウンリンク送信とＵＥによるアップリンク送信が同時に行われることができない。アップリンク送信とダウンリンク送信がサブフレーム単位に区分されるＴＤＤシステムにおいて、アップリンク送信とダウンリンク送信は互いに異なるサブフレームにおいて行われる。
【００２９】
以下、ＬＴＥシステムについてさらに詳細に述べる。
【００３０】
図２は、３ＧＰＰ  ＬＴＥにおいてＦＤＤに応じる無線フレーム（ｒａｄｉｏ  ｆｒａｍｅ）の構造を示す。
【００３１】
図２に示す無線フレームは、３ＧＰＰ  ＴＳ  ３６．２１１  Ｖ１０．４．０（２０１１−１２）「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）」の５節を参照できる。
【００３２】
図２を参照すると、無線フレームは、１０個のサブフレーム（ｓｕｂｆｒａｍｅ）を含み、一つのサブフレームは、２個のスロット（ｓｌｏｔ）を含む。無線フレーム内のスロットは、０から１９までスロット番号が付けられる。一つのサブフレームが送信されるのにかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位といえる。例えば、一つの無線フレームの長さは１０ｍｓで、一つのサブフレームの長さは１ｍｓで、一つのスロットの長さは０．５ｍｓでありうる。
【００３３】
無線フレームの構造は、例示にすぎず、無線フレームに含まれるサブフレームの数またはサブフレームに含まれるスロットの数などは多様に変更されることができる。
【００３４】
一方、一つのスロットは、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。一つのスロットにいくつかのＯＦＤＭシンボルが含まれるかは、循環前置（ｃｙｃｌｉｃ  ｐｒｅｆｉｘ：ＣＰ）によって変わることができる。ノーマル（ｎｏｒｍａｌ）ＣＰにおいて１スロットは、７ＯＦＤＭシンボルを含み、拡張（ｅｘｔｅｎｄｅｄ）ＣＰにおいて１スロットは、６ＯＦＤＭシンボルを含む。ここで、ＯＦＤＭシンボルは、３ＧＰＰ  ＬＴＥがダウンリンク（ｄｏｗｎｌｉｎｋ、ＤＬ）においてＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するので、時間領域において一つのシンボル区間（ｓｙｍｂｏｌ  ｐｅｒｉｏｄ）を表現するためのものに過ぎないので、多重接続方式または名称に制限を置くのではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることができる。
【００３５】
図３は、３ＧＰＰ  ＬＴＥにおいてＴＤＤに応じるダウンリンク無線フレームの構造を示す。
【００３６】
これは、３ＧＰＰ  ＴＳ  ３６．２１１  Ｖ１０．４．０（２０１１−１２）「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）」の４節を参照でき、ＴＤＤ（Ｔｉｍｅ  Ｄｉｖｉｓｉｏｎ  Ｄｕｐｌｅｘ）のためのものである。
【００３７】
インデックス＃１とインデックス＃６を有するサブフレームは、スペシャルサブフレームといい、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、ＵＥでの初期セル探索、同期化またはチャネル推定に使用される。ＵｐＰＴＳは、基地局でのチャネル推定とＵＥのアップ送信同期を合せるのに使用される。ＧＰは、アップリンクとダウンリンクとの間にダウンリンク信号の多重経路遅延により、アップリンクにおいて生じる干渉を除去するための区間である。
【００３８】
ＴＤＤでは、一つの無線フレームにＤＬ（ｄｏｗｎｌｉｎｋ）サブフレームとＵＬ（Ｕｐｌｉｎｋ）サブフレームが共存する。表１は、無線フレームの設定（ｃｏｎｆｉｇｕｒａｔｉｏｎ）の一例を示す。
【００３９】
【表１】
0006396487.tif 000002
【００４０】
「Ｄ」は、ＤＬサブフレーム、「Ｕ」は、ＵＬサブフレーム、「Ｓ」は、スペシャルサブフレームを示す。基地局からＵＬ−ＤＬ設定を受信すると、ＵＥは、無線フレームの設定によってどのサブフレームがＤＬサブフレームまたはＵＬサブフレームであるかが分かる。
【００４１】
【表２】
0006396487.tif 000003
【００４２】
図４は、３ＧＰＰ  ＬＴＥにおいて一つのアップリンクまたはダウンリンクスロットに対する資源グリッド（ｒｅｓｏｕｒｃｅ  ｇｒｉｄ）を示した例示図である。
【００４３】
図４を参照すると、スロットは、時間領域（ｔｉｍｅ  ｄｏｍａｉｎ）において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）においてＮＲＢ個の資源ブロック（ＲＢ）を含む。例えば、ＬＴＥシステムにおいて資源ブロック（ＲＢ）の数、すなわちＮＲＢは、６ないし１１０のうちのいずれか一つでありうる。
【００４４】
資源ブロック（ｒｅｓｏｕｒｃｅ  ｂｌｏｃｋ：ＲＢ）は、資源割り当ての単位であり、一つのスロットにおいて複数の副搬送波を含む。例えば、一つのスロットが時間領域において７個のＯＦＤＭシンボルを含み、資源ブロックは、周波数領域において１２個の副搬送波を含む場合、一つの資源ブロックは、７×１２個の資源要素（ｒｅｓｏｕｒｃｅ  ｅｌｅｍｅｎｔ：ＲＥ）を含むことができる。
【００４５】
一方、一つのＯＦＤＭシンボルにおいて副搬送波の数は、１２８、２５６、５１２、１０２４、１５３６及び２０４８のうちのいずれか一つを選定して使用することができる。
【００４６】
図４の３ＧＰＰ  ＬＴＥにおいて一つのアップリンクスロットに対する資源グリッドは、ダウンリンクスロットに対する資源グリッドにも適用されることができる。
【００４７】
図５は、ダウンリンクサブフレームの構造を示す。
【００４８】
図５ではノーマルＣＰを仮定して、例示的に一つのスロット内に７ＯＦＤＭシンボルを含むと示した。
【００４９】
ＤＬ（ｄｏｗｎｌｉｎｋ）サブフレームは、時間領域において制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１番目のスロットの先行する最大３個のＯＦＤＭシンボルを含むが、制御領域に含まれるＯＦＤＭシンボルの数は変わることができる。制御領域には、ＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域には、ＰＤＳＣＨが割り当てられる。
【００５０】
３ＧＰＰ  ＬＴＥにおいて物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００５１】
サブフレームの第１番目のＯＦＤＭシンボルにおいて送信されるＰＣＦＩＣＨは、サブフレーム内で制御チャネルの送信に使用されるＯＦＤＭシンボルの数（すなわち、制御領域の大きさ）に関するＣＦＩ（ｃｏｎｔｒｏｌ  ｆｏｒｍａｔ  ｉｎｄｉｃａｔｏｒ）を運ぶ。無線機器は、まずＰＣＦＩＣＨ上にＣＦＩを受信した後、ＰＤＣＣＨをモニタリングする。
【００５２】
ＰＤＣＣＨとは異なり、ＰＣＦＩＣＨは、ブラインド復号を使用せずに、サブフレームの固定されたＰＣＦＩＣＨ資源を介して送信される。
【００５３】
ＰＨＩＣＨは、ＵＬ  ＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を運ぶ。無線機器により送信されるＰＵＳＣＨ上のＵＬ（ｕｐｌｉｎｋ）データに対するＡＣＫ／ＮＡＣＫ信号は、ＰＨＩＣＨ上に送信される。
【００５４】
ＰＢＣＨ（Ｐｈｙｓｉｃａｌ  Ｂｒｏａｄｃａｓｔ  Ｃｈａｎｎｅｌ）は、無線フレームの第１番目のサブフレームの第２番目のスロットの先行する４個のＯＦＤＭシンボルにおいて送信される。ＰＢＣＨは、無線機器が基地局と通信するのに必須なシステム情報を運び、ＰＢＣＨを介して送信されるシステム情報をＭＩＢ（ｍａｓｔｅｒ  ｉｎｆｏｒｍａｔｉｏｎ  ｂｌｏｃｋ）という。これと比較して、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００５５】
ＰＤＣＣＨは、ＤＬ−ＳＣＨ（ｄｏｗｎｌｉｎｋ−ｓｈａｒｅｄ  ｃｈａｎｎｅｌ）の資源割り当て及び送信フォーマット、ＵＬ−ＳＣＨ（ｕｐｌｉｎｋ  ｓｈａｒｅｄ  ｃｈａｎｎｅｌ）の資源割り当て情報、ＰＣＨ上のページング情報、ＤＬ−ＳＣＨ上のシステム情報、ＰＤＳＣＨ上に送信されるランダムアクセス応答のような上位階層制御メッセージの資源割り当て、任意のＵＥグループ内の個別ＵＥに対する送信パワー制御命令の集合及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内において送信されることができ、ＵＥは、複数のＰＤＣＣＨをモニタリングできる。ＰＤＣＣＨは、一つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に送信される。ＣＣＥは、無線チャネルの状態に応じる符号化率をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応される。ＣＣＥの数とＣＣＥにより提供される符号化率の関連関係によって、ＰＤＣＣＨのフォーマット及び可能なＰＤＣＣＨのビット数が決定される。
【００５６】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ：ＤＣＩ）という。ＤＣＩは、ＰＤＳＣＨの資源割り当て（これをＤＬグラント（ｄｏｗｎｌｉｎｋ  ｇｒａｎｔ）ともいう）、ＰＵＳＣＨの資源割り当て（これをＵＬグラント（ｕｐｌｉｎｋ  ｇｒａｎｔ）ともいう）、任意のＵＥグループ内の個別ＵＥに対する送信パワー制御命令の集合及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００５７】
基地局は、ＵＥに送信しようとするＤＣＩに応じてＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨの所有者（ｏｗｎｅｒ）または用途に応じて固有の識別子（ｒａｄｉｏ  ｎｅｔｗｏｒｋ  ｔｅｍｐｏｒａｒｙ  ｉｄｅｎｔｉｆｉｅｒ：ＲＮＴＩ）がマスキングされる。特定ＵＥのためのＰＤＣＣＨであれば、ＵＥの固有識別子、例えばＣ−ＲＮＴＩ（ｃｅｌｌ−ＲＮＴＩ）がＣＲＣにマスキングされることができる。または、ページングメッセージのためのＰＤＣＣＨであれば、ページング指示識別子、例えばＰ−ＲＮＴＩ（ｐａｇｉｎｇ−ＲＮＴＩ）がＣＲＣにマスキングされることができる。システム情報ブロック（ｓｙｓｔｅｍ  ｉｎｆｏｒｍａｔｉｏｎ  ｂｌｏｃｋ：ＳＩＢ）のためのＰＤＣＣＨであれば、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。ＵＥのランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００５８】
３ＧＰＰ  ＬＴＥでは、ＰＤＣＣＨの検出のためにブラインド復号を使用する。ブラインド復号は、受信されるＰＤＣＣＨ（これを候補（ｃａｎｄｉｄａｔｅ）ＰＤＣＣＨという）のＣＲＣ（Ｃｙｃｌｉｃ  Ｒｅｄｕｎｄａｎｃｙ  Ｃｈｅｃｋ）に所望の識別子をデマスキングし、ＣＲＣエラーをチェックして該当ＰＤＣＣＨが自身の制御チャネルであるかどうかを確認する方式である。基地局は、無線機器に送信しようとするＤＣＩに応じてＰＤＣＣＨフォーマットを決定した後、ＤＣＩにＣＲＣを付け、ＰＤＣＣＨの所有者（ｏｗｎｅｒ）または用途に応じて固有の識別子（ＲＮＴＩ）をＣＲＣにマスキングする。
【００５９】
一方、端末がＣ−ＲＮＴＩに基づいてＰＤＣＣＨをモニタリングするとき、ＰＤＳＣＨの送信モード（ｔｒａｎｓｍｉｓｓｉｏｎ  ｍｏｄｅ：ＴＭ）に応じてモニタリングするＤＣＩフォーマットと検索空間が決定される。次の表は、Ｃ−ＲＮＴＩが設定されたＰＤＣＣＨモニタリングの例を示す。
【００６０】
【表３】
0006396487.tif 000004
【００６１】
ＤＣＩフォーマットの用途は、次の表のように区分される。
【００６２】
【表４】
0006396487.tif 000005
【００６３】
以下、ＤＲＸについて説明する。
【００６４】
ＤＲＸ（Ｄｉｓｃｏｎｔｉｎｕｏｕｓ  Ｒｅｃｅｐｔｉｏｎ）は、端末が不連続的にダウンリンクチャネルをモニタリングするようにしてバッテリー消耗を減らす技法である。ＤＲＸが設定されると、端末は、ダウンリンクチャネルを不連続的に（ｄｉｓｃｏｎｔｉｎｕｏｕｓｌｙ）モニタリングする。それとも、端末は、ダウンリンクチャネルを連続的にモニタリングする。
【００６５】
最近、多くのアプリケーションは、ａｌｗａｙｓ−ｏｎ特性を必要としている。Ａｌｗａｙｓ−ｏｎとは、端末が常にネットワークに接続されているから、必要な場合、ただちにデータを送信できる特性のことをいう。
【００６６】
しかしながら、端末がネットワーク接続を維持しつづける場合、バッテリー消耗が激しいから、該当アプリケーションに適したＤＲＸを設定することがバッテリー消耗を減らしながらもａｌｗａｙｓ−ｏｎ特性を保障できる。
【００６７】
図６は、ＤＲＸサイクルを示す。
【００６８】
ＤＲＸサイクルは、休止（ｉｎａｃｔｉｖｉｔｙ）の可能な区間がつながるＯｎ−区間（Ｏｎ−Ｄｕｒａｔｉｏｎ）の周期的な繰り返しを特定する。ＤＲＸサイクルは、Ｏｎ−区間とＯｆｆ−区間を含む。Ｏｎ−区間は、ＤＲＸサイクル内で端末がＰＤＣＣＨをモニタリングする区間である。
【００６９】
ＤＲＸが設定されると、端末は、Ｏｎ−区間においてのみＰＤＣＣＨをモニタリングし、Ｏｆｆ−区間では、ＰＤＣＣＨをモニタリングしなくても良い。
【００７０】
Ｏｎ−区間を定義するのに使用されることがｏｎＤｕｒａｔｉｏｎタイマーである。Ｏｎ−区間は、ｏｎＤｕｒａｔｉｏｎタイマーが動作中である区間と定義されることができる。ｏｎＤｕｒａｔｉｏｎタイマーは、ＤＲＸサイクルの開始時点に連続的なＰＤＣＣＨ−サブフレームの数を特定する。ＰＤＣＣＨ−サブフレームは、ＰＤＣＣＨがモニタリングされるサブフレームを指す。
【００７１】
ＤＲＸサイクルの外にも、ＰＤＣＣＨがモニタリングされる区間がさらに定義されることができる。ＰＤＣＣＨがモニタリングされる区間を総称して、活性時間（ａｃｔｉｖｅ  ｔｉｍｅ）と定義する。
【００７２】
ｄｒｘ−Ｉｎａｃｔｉｖｉｔｙタイマーは、ＤＲＸを非活性化する。ｄｒｘ−Ｉｎａｃｔｉｖｉｔｙタイマーが動作中であると、ＤＲＸサイクルに関係なしで端末はＰＤＣＣＨをモニタリングし続ける。ｄｒｘ−Ｉｎａｃｔｉｖｉｔｙタイマーは、初期ＵＬグラントまたはＤＬグラントがＰＤＣＣＨ上に受信されると開始される。ｄｒｘ−Ｉｎａｃｔｉｖｉｔｙタイマーは、該当ＵＥのための初期のＵＬまたはＤＬユーザデータ送信を指示するＰＤＣＣＨを成功的にデコードした以後の連続的なＰＤＣＣＨ−サブフレームの数を特定できる。
【００７３】
ＨＡＲＱ  ＲＴＴタイマーは、端末がＤＬ  ＨＡＲＱ再送信を期待する最小区間を定義する。ＨＡＲＱ  ＲＴＴタイマーは、端末によって期待されるＤＬ  ＨＡＲＱ再送信以前サブフレームの最少量を特定できる。
【００７４】
ｄｒｘ−Ｒｅｔｒａｎｓｍｉｓｓｉｏｎタイマーは、端末がＤＬ再送信を期待する間にＰＤＣＣＨをモニタリングする区間を定義する。ｄｒｘ−Ｒｅｔｒａｎｓｍｉｓｓｉｏｎタイマーは、端末によってＤＬ再送信が期待される直後、連続的なＰＤＣＣＨ−サブフレームの最大数を特定できる。初期ＤＬ送信があった後、端末はＨＡＲＱ  ＲＴＴタイマーを駆動する。端末は、初期ＤＬ送信に対してエラーが発見されると、ＮＡＣＫを基地局に送信し、ＨＡＲＱ  ＲＴＴタイマーを中断し、ｄｒｘ−Ｒｅｔｒａｎｓｍｉｓｓｉｏｎタイマーを駆動する。端末は、ｄｒｘ−Ｒｅｔｒａｎｓｍｉｓｓｉｏｎタイマーが動作中である間に基地局からのＤＬ再送信のためのＰＤＣＣＨをモニタリングする。
【００７５】
活性時間は、周期的にＰＤＣＣＨをモニタリングするＯｎ−区間とイベント発生によりＰＤＣＣＨをモニタリングする区間を含むことができる。
【００７６】
ＤＲＸサイクルが設定されると、活性時間は、以下のような時間を含むことができる：
【００７７】
−ｏｎＤｕｒａｔｉｏｎタイマー、ｄｒｘ−Ｉｎａｃｔｉｖｉｔｙタイマー、ｄｒｘ−Ｒｅｔｒａｎｓｍｉｓｓｉｏｎタイマー及び／または駆動中であるｍａｃ−ＣｏｎｔｅｎｔｉｏｎＲｅｓｏｌｕｔｉｏｎタイマー、
【００７８】
−スケジューリング要請（Ｓｃｈｅｄｕｌｉｎｇ  Ｒｅｑｕｅｓｔ）がＰＵＣＣＨ上に送信され及びペンディング（ｐｅｎｄｉｎｇ）中である時間、
【００７９】
−ペンディング中であるＨＡＲＱ再送信のためのＵＬグラントが発生でき、該当するＨＡＲＱバッファ内にデータがある時間、
【００８０】
−端末のＣ−ＲＮＴＩへ向かう新しい送信を指示するＰＤＣＣＨが端末によって選択されたプリアンブルのためのランダムアクセス応答の成功的な受信以後に受信されない時間。
【００８１】
図７は、３ＧＰＰ  ＬＴＥにおいてで活性時間を示す。
【００８２】
ＤＲＸが設定されると、端末は、各サブフレームに対して以下のような運営を行わなければならない：
【００８３】
−ＨＡＴＱ  ＲＴＴタイマーがこのサブフレームで満了し、該当するＨＡＲＱプロセスのデータが成功的にデコードされない場合：
【００８４】
−該当するＨＡＲＱプロセスのためのｄｒｘ−Ｒｅｔｒａｎｓｍｉｓｓｉｏｎタイマーを駆動する。
【００８５】
−ＤＲＸ  Ｃｏｍｍａｎｄ  ＭＡＣ  ＣＥ（ｃｏｎｔｒｏｌ  ｅｌｅｍｅｎｔ）が受信されると：
【００８６】
−ｏｎＤｕｒａｔｉｏｎタイマー及びｄｒｘ−Ｉｎａｃｔｉｖｉｔｙタイマーを中断する。
【００８７】
−ｄｒｘ−Ｉｎａｃｔｉｖｉｔｙタイマーが満了するか、またはＤＲＸ  Ｃｏｍｍａｎｄ  ＭＡＣ  ＣＥがこのサブフレーム内に受信されると：
【００８８】
−短いＤＲＸサイクルが設定された場合：ｄｒｘ−ＳｈｏｒｔＣｙｃｌｅタイマーを開始または再度開始し及び短いＤＲＸサイクルを使用する。
【００８９】
−そうでない場合：長いＤＲＸサイクルを使用する。
【００９０】
−ｄｒｘ−ＳｈｏｒｔＣｙｃｌｅタイマーがこのサブフレーム内に満了すると：
【００９１】
−長いＤＲＸサイクルを使用する。
【００９２】
−短いＤＲＸサイクルが使用され及び［（ＳＦＮ＊１０）＋ｓｕｂｆｒａｍｅ  ｎｕｍｂｅｒ］ｍｏｄｕｌｏ（ｓｈｏｒｔＤＲＸ−Ｃｙｃｌｅ）＝（ｄｒｘＳｔａｒｔＯｆｆｓｅｔ）ｍｏｄｕｌｏ（ｓｈｏｒｔＤＲＸ−Ｃｙｃｌｅ）が満たされるか、または
【００９３】
−長いＤＲＸサイクルが使用され及び［（ＳＦＮ＊１０）＋ｓｕｂｆｒａｍｅ  ｎｕｍｂｅｒ］ｍｏｄｕｌｏ（ｌｏｎｇＤＲＸ−Ｃｙｃｌｅ）＝ｄｒｘＳｔａｒｔＯｆｆｓｅｔが満たされると：
【００９４】
−ｏｎＤｕｒａｔｉｏｎタイマーを駆動する。
【００９５】
−活性時間の間に、ＰＤＣＣＨ−サブフレームに対して、サブフレームが半二重（ｈａｌｆ−ｄｕｐｌｅｘ）ＦＤＤ端末運営のためのＵＬ送信に要求されず、そして、サブフレームが設定された測定ギャップ（ｃｏｎｆｉｇｕｒｅｄ  ｍｅａｓｕｒｅｍｅｎｔ  ｇａｐ）の一部ではないと：
【００９６】
−ＰＤＣＣＨをモニタリングする、
【００９７】
−ＰＤＣＣＨがＤＬ送信を指示するか、またはこのサブフレームに対してＤＬ割り当てが設定された場合：
【００９８】
−該当するＨＡＲＱプロセスのためのＨＡＲＱ  ＲＴＴタイマーを駆動する、
【００９９】
−該当するＨＡＲＱプロセスのためのｄｒｘ−Ｒｅｔｒａｎｓｍｉｓｓｉｏｎタイマーを中断する。
【０１００】
−ＰＤＣＣＨが新しい（ＤＬまたはＵＬ）送信を指示すると：
【０１０１】
−ｄｒｘ−Ｉｎａｃｔｉｖｉｔｙタイマーを駆動または再駆動する。
【０１０２】
ＤＲＸサイクルは、長いＤＲＸサイクルと短いＤＲＸサイクルの二種類がある。長い周期の長いＤＲＸサイクルは、端末のバッテリー消耗を最小化でき、短い周期の短いＤＲＸサイクルは、データ送信遅延を最小化できる。
【０１０３】
一方、以下参照信号について説明する。
【０１０４】
一般に、送信情報、例えば、データは、無線チャネルを介して送信される間に容易に歪み、変更される。したがって、このような送信情報をエラーなしで復調するためには参照信号が必要である。参照信号は、送信機と受信機との間に予め知っている信号として送信情報と共に送信される。送信機から送信される送信情報は、各送信アンテナごとにまたは階層ごとに対応するチャネルを経るから、参照信号は、各送信アンテナ別または階層別に割り当てられることができる。各送信アンテナ別または階層別参照信号は、時間、周波数、コードなどの資源を利用して区別されることができる。参照信号は、２通りの目的、すなわち、送信情報の復調（ｄｅｍｏｄｕｌａｔｉｏｎ）とチャネル推定のために使用されることができる。
【０１０５】
参照信号は、参照信号を予め知っている受信機の範囲によって２通りの種類に分けることができる。第１は、特定の受信機（例えば、特定端末）のみが知っている参照信号であって、このような参照信号を専用参照信号（ｄｅｄｉｃａｔｅｄ  ＲＳ、ＤＲＳ）と呼ぶ。専用参照信号は、このような意味において端末特定的参照信号（ＵＥ−ｓｐｅｃｉｆｉｃ  ＲＳ）とも呼ぶ。第２は、セル内のすべての受信機、例えば、すべての端末が知っている参照信号であって、このような参照信号を共用参照信号（ｃｏｍｍｏｎ  ＲＳ、ＣＲＳ）と呼ぶ。共用参照信号は、セル特定的参照信号（ｃｅｌｌ−ｓｐｅｃｉｆｉｃ  ＲＳ）とも呼ぶ。
【０１０６】
また、参照信号は、用途によって分類されることもできる。例えば、データの復調のために使用される参照信号を復調参照信号（ｄｅｍｏｄｕｌａｔｉｏｎ  ＲＳ、ＤＭ−ＲＳ）と呼ぶ。ＣＱＩ／ＰＭＩ／ＲＩなどのチャネル状態を表すフィードバック情報のために使用される参照信号をＣＳＩ−ＲＳ（ｃｈａｎｎｅｌ  ｓｔａｔｅ  ｉｎｆｏｒｍａｔｉｏｎ−ＲＳ）と呼ぶ。上述の専用参照信号（ＤＲＳ）は、復調参照信号（ＤＭ−ＲＳ）として使用されることができる。以下、ＤＭ−ＲＳは、ＤＲＳであると前提する。
【０１０７】
図８は、参照信号のうち、ＣＳＩ−ＲＳがマッピングされるＲＢの一例を示す。
【０１０８】
ＣＳＩ−ＲＳは、ＬＴＥ−Ａ端末のＰＤＳＣＨに対したチャネル推定、チャネル情報生成のためのチャネル測定に使用される。ＣＳＩ−ＲＳは、周波数領域または時間領域において比較的まれに（ｓｐａｒｓｅ）配置され、一般サブフレームまたはＭＢＳＦＮサブフレームのデータ領域では省略（ｐｕｎｃｔｕｒｅｄ）されることができる。ＣＳＩの推定を介して必要な場合に、ＣＱＩ、ＰＭＩ及びＲＩなどが端末から報告されることができる。
【０１０９】
ＣＳＩ−ＲＳは１個、２個、４個または８個のアンテナポートを介して送信される。このとき、使用されるアンテナポートは、それぞれ  ｐ＝１５、ｐ＝１５，１６、ｐ＝１５，．．．，１８及びｐ＝１５，．．．，２２である。すなわち、ＣＳＩ−ＲＳは、１、２、４、８個のアンテナポートを介して送信されることができる。ＣＳＩ−ＲＳは、副搬送波間隔Δｆ＝１５ｋＨｚに対してのみ定義されることができる。ＣＳＩ−ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ１０．１．０（２０１１−０３）「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）」の６．１０．５節を参照できる。
【０１１０】
ＣＳＩ−ＲＳの送信において、異種ネットワーク（ＨｅｔＮｅｔ；ｈｅｔｅｒｏｇｅｎｅｏｕｓ  ｎｅｔｗｏｒｋ）環境を含んでマルチセル環境においてセル間干渉（ＩＣＩ；ｉｎｔｅｒ−ｃｅｌｌ  ｉｎｔｅｒｆｅｒｅｎｃｅ）を減らすために、最大３２個の互いに異なる構成（ｃｏｎｆｉｇｕｒａｔｉｏｎ）が提案されることができる。ＣＳＩ−ＲＳ構成は、セル内のアンテナポートの数及びＣＰによって互いに異なり、隣接セルは、可能な限り異なる構成を有することができる。また、ＣＳＩ−ＲＳ構成は、フレーム構造によってＦＤＤフレームとＴＤＤフレームに全部適用する場合とＴＤＤフレームのみに適用する場合とに分けられることができる。一つのセルにおいて複数のＣＳＩ−ＲＳ構成が使用されることができる。非ゼロ電力（ｎｏｎ−ｚｅｒｏ  ｐｏｗｅｒ）ＣＳＩ−ＲＳを仮定する端末に対して、０個または１個のＣＳＩ−ＲＳ構成が、ゼロ電力（ｚｅｒｏ  ｐｏｗｅｒ）ＣＳＩ−ＲＳを仮定する端末に対して、０個またはいくつかのＣＳＩ−ＲＳ構成が使用されることができる。
【０１１１】
ＣＳＩ−ＲＳ構成は、上位階層により指示されることができる。例えば、上位階層を介して送信されるＣＳＩ−ＲＳ−Ｃｏｎｆｉｇ  ＩＥ（ｉｎｆｏｒｍａｔｉｏｎ  ｅｌｅｍｅｎｔ）がＣＳＩ−ＲＳ構成を指示できる。以下の表は、ＣＳＩ−ＲＳ−Ｃｏｎｆｉｇ  ＩＥの一例を示す。
【０１１２】
【表５】
0006396487.tif 000006
【０１１３】
上記の表を参照すると、「ａｎｔｅｎｎａＰｏｒｔｓＣｏｕｎｔ」フィールドは、ＣＳＩ−ＲＳの送信のために使用されるアンテナポートの数を指示する。「ｒｅｓｏｕｒｃｅＣｏｎｆｉｇ」フィールドは、ＣＳＩ−ＲＳ構成を指示する。「ＳｕｂｆｒａｍｅＣｏｎｆｉｇ」フィールド及び「ｚｅｒｏＴｘＰｏｗｅｒＳｕｂｆｒａｍｅＣｏｎｆｉｇ」フィールドは、ＣＳＩ−ＲＳが送信されるサブフレーム構成を指示する。
【０１１４】
「ｚｅｒｏＴｘＰｏｗｅｒＲｅｓｏｕｒｃｅＣｏｎｆｉｇＬｉｓｔ」フィールドは、ゼロ電力ＣＳＩ−ＲＳの構成を指示する。「ｚｅｒｏＴｘＰｏｗｅｒＲｅｓｏｕｒｃｅＣｏｎｆｉｇＬｉｓｔ」フィールドを構成する１６ビットのビットマップ（ｂｉｔｍａｐ）において１に設定されたビットに対応するＣＳＩ−ＲＳ構成がゼロ電力ＣＳＩ−ＲＳに設定されることができる。
【０１１５】
ＣＳＩ−ＲＳに対するシーケンスｒl,ns(m)は、次の式のように生成されることができる。
【０１１６】
【数１】
0006396487.tif 000007
【０１１７】
式中ｎsは、無線フレーム内でスロットナンバーで、ｌはスロット内でのＯＦＤＭシンボルナンバーである。ｃ（ｉ）は、擬似ランダムシーケンス（ｐｓｅｕｄｏ  ｒａｎｄｏｍ  ｓｅｑｕｅｎｃｅ）であり、式１に表示されたｃinitで各ＯＦＤＭシンボルにおいて始まる。ＮIDcellは、物理的セルＩＤを意味する。
【０１１８】
ＣＳＩ−ＲＳを送信するように設定されたサブフレームにおいて、参照信号シーケンスｒl,ns（ｍ）は、アンテナポートｐに対した参照シンボルとして使用される複素値変調シンボルａk,l(p)にマッピングされる。
【０１１９】
ｒl,ns（ｍ）とａk,l(p)の関係は、次の式のとおりである。
【０１２０】
【数２】
0006396487.tif 000008
【０１２１】
式中、（ｋ’，ｌ’）とｎsは、後述する表５及び表６において与えられる。ＣＳＩ−ＲＳは、（ｎs  ｍｏｄ  ２）が後述する表５及び表６の条件を満たすダウンリンクスロットにおいて送信されることができる（ここで、ｍｏｄは、モジュール演算を意味する。すなわち、（ｎs  ｍｏｄ  ２）は、２でｎsを割り算した残りを意味する）。
【０１２２】
以下の表は、ノーマルＣＰでのＣＳＩ−ＲＳの構成を、表６は、拡張ＣＰでのＣＳＩ−ＲＳの構成を示す。
【０１２３】
【表６】
0006396487.tif 000009
【０１２４】
【表７】
0006396487.tif 000010
【０１２５】
端末は、上記２つの表においてｎs  ｍｏｄ  ２の条件を満たすダウンリンクスロットにおいてのみＣＳＩ−ＲＳを送信できる。また、端末は、ＴＤＤフレームの特殊サブフレーム（ｓｐｅｃｉａｌ  ｓｕｂｆｒａｍｅ）、ＣＳＩ−ＲＳの送信が同期化信号（ｓｙｎｃｈｒｏｎｉｚａｔｉｏｎ  ｓｉｇｎａｌ）、ＰＢＣＨ（ｐｈｙｓｉｃａｌ  ｂｒｏａｄｃａｓｔ  ｃｈａｎｎｅｌ）、システム情報ブロックタイプ１（ＳｙｓｔｅｍＩｎｆｏｒｍａｔｉｏｎＢｌｏｃｋＴｙｐｅ１）と衝突するサブフレームまたはページングメッセージが送信されるサブフレームでは、ＣＳＩ−ＲＳを送信しない。また、Ｓ＝｛１５｝，Ｓ＝｛１５，１６｝，Ｓ＝｛１７，１８｝，Ｓ＝｛１９，２０｝またはＳ＝｛２１，２２｝である集合Ｓにおいて、一つのアンテナポートのＣＳＩ−ＲＳが送信される資源要素は、ＰＤＳＣＨまたは他のアンテナポートのＣＳＩ−ＲＳの送信に使用されない。
【０１２６】
以下の表は、ＣＳＩ−ＲＳが送信されるサブフレーム構成の一例を示す。
【０１２７】
【表８】
0006396487.tif 000011
【０１２８】
上記の表を参照すると、ＣＳＩ−ＲＳサブフレーム構成（ＩＣSI-RS）によってＣＳＩ−ＲＳが送信されるサブフレームの周期（ＴCSI-RS）及びオフセット（ΔCSI-RS）が決定されることができる。上記の表のＣＳＩ−ＲＳサブフレーム構成は、表５のＣＳＩ−ＲＳ−Ｃｏｎｆｉｇ  ＩＥの「ＳｕｂｆｒａｍｅＣｏｎｆｉｇ」フィールドまたは「ＺｅｒｏＴｘＰｏｗｅｒＳｕｂｆｒａｍｅＣｏｎｆｉｇ」フィールドのうちのいずれか一つでありうる。ＣＳＩ−ＲＳサブフレーム構成は、非ゼロ電力ＣＳＩ−ＲＳ及びゼロ電力ＣＳＩ−ＲＳに対して分離されて（ｓｅｐａｒａｔｅｌｙ）構成されることができる。
【０１２９】
一方、図８は、ノーマルＣＰ構造においてＣＳＩ−ＲＳ構成インデックスが０であるとき、ＣＳＩ−ＲＳのために使用される資源要素を示す。Ｒｐは、アンテナポートｐ上のＣＳＩ−ＲＳ送信に使用される資源要素を示す。図８を参照すると、アンテナポート１５及び１６に対するＣＳＩ−ＲＳは、第１スロットの第６番目及び第７番目のＯＦＤＭシンボル（ＯＦＤＭシンボルインデックス５、６）の第３番目の副搬送波（副搬送波インデックス２）に該当する資源要素を介して送信される。アンテナポート１７及び１８に対するＣＳＩ−ＲＳは、第１スロットの第６番目及び第７番目のＯＦＤＭシンボル（ＯＦＤＭシンボルインデックス５、６）の第９番目の副搬送波（副搬送波インデックス８）に該当する資源要素を介して送信される。アンテナポート１９及び２０に対するＣＳＩ−ＲＳは、アンテナポート１５及び１６に対するＣＳＩ−ＲＳが送信される同じ資源要素を介して、アンテナポート２１及び２２に対するＣＳＩ−ＲＳは、アンテナポート１７及び１８に対するＣＳＩ−ＲＳが送信される同じ資源要素を介して送信される。
【０１３０】
仮に、端末に８個のアンテナポートを介したＣＳＩ−ＲＳが送信されると、端末は、Ｒ１５ないしＲ２２がマッピングされるＲＢを受信するようになるはずである。すなわち、特定パターンを有するＣＳＩ−ＲＳを受信するようになるはずである。
【０１３１】
図９は、３ＧＰＰ  ＬＴＥにおいてアップリンクサブフレームの構造を示す。
【０１３２】
図９を参照すると、アップリンクサブフレームは、周波数領域において制御領域とデータ領域とに分けられることができる。制御領域にはアップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域は、データ（場合によって制御情報も共に送信されることができる）が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【０１３３】
一つのＵＥに対したＰＵＣＣＨは、サブフレームにおいて資源ブロック対（ＲＢ  ｐａｉｒ）で割り当てられる。資源ブロック対に属する資源ブロックは、第１スロットと第２スロットのそれぞれにおいて互いに異なる副搬送波を占める。ＰＵＣＣＨに割り当てられる資源ブロック対に属する資源ブロックが占める周波数は、スロット境界（ｓｌｏｔ  ｂｏｕｎｄａｒｙ）に基づいて変更される。これをＰＵＣＣＨに割り当てられるＲＢ対がスロット境界で周波数がホッピング（ｆｒｅｑｕｅｎｃｙ−ｈｏｐｐｅｄ）されたという。
【０１３４】
ＵＥがアップリンク制御情報を時間によって互いに異なる副搬送波を介して送信することによって、周波数ダイバーシチ（ｆｒｅｑｕｅｎｃｙ  ｄｉｖｅｒｓｉｔｙ）利得を得ることができる。ｍは、サブフレーム内においてＰＵＣＣＨに割り当てられた資源ブロック対の論理的な周波数領域位置を表す位置インデックスである。
【０１３５】
ＰＵＣＣＨ上に送信されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を表すＣＱＩ（ｃｈａｎｎｅｌ  ｑｕａｌｉｔｙ  ｉｎｄｉｃａｔｏｒ）、アップリンク無線資源割り当て要請であるＳＲ（ｓｃｈｅｄｕｌｉｎｇ  ｒｅｑｕｅｓｔ）などがある。
【０１３６】
ＰＵＳＣＨは、送信チャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、送信時間区間（ＴＴＩ）の間に送信されるＵＬ−ＳＣＨのためのデータブロックである送信ブロック（ｔｒａｎｓｐｏｒｔ  ｂｌｏｃｋ）でありうる。送信ブロックは、ユーザ情報でありうる。または、アップリンクデータは、多重化された（ｍｕｌｔｉｐｌｅｘｅｄ）データでありうる。多重化されたデータは、ＵＬ−ＳＣＨのための送信ブロックと制御情報が多重化されたものでありうる。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがありうる。または、アップリンクデータは、制御情報のみから構成されることができる。
【０１３７】
以下、ＣＱＩ（ｃｈａｎｎｅｌ  ｑｕａｌｉｔｙ  ｉｎｄｉｃａｔｏｒ）について説明する。ＣＱＩについての説明は、３ＧＰＰ  ＴＳ  ３６．２１３  Ｖ１０．１．０（２０１１−０３）の７．２．３節を参照できる。
【０１３８】
まず、端末は、ＣＲＳまたはＣＳＩ−ＲＳに基づいてＣＱＩを測定できる。
【０１３９】
測定のためのＣＳＩ−ＲＳの資源は、次のように定義できる。周波数領域においてＣＳＩ−ＲＳの資源は、誘導されるＣＱＩ値が関係になる帯域に対応するダウンリンクＰＲＢのグループと定義されることができる。時間領域においてＣＳＩ−ＲＳの資源は、一つのダウンリンクサブフレームｎ−ｎCQI_refと定義されることができる。周期的ＣＳＩ報告の場合、ｎCQI_refは、４と同一であるか、それより大きな最も小さな値であり、有効ダウンリンクサブフレームに対応できる。または、非周期的ＣＳＩ報告の場合、ｎCQI_refは、アップリンクＤＣＩフォーマット内の対応するＣＳＩ要請のようにＣＳＩ−ＲＳの資源が同じ有効ダウンリンクサブフレーム内にあるようになることができる。または、非周期的ＣＳＩ報告の場合、ｎCQI_refは、４であり、ダウンリンクサブフレームｎ−ｎCQI_refは、有効なダウンリンクサブフレームに対応されることができる。このとき、ダウンリンクサブフレームｎ−ｎCQI_refは、ランダムアクセス応答グラント（ｒａｎｄｏｍ  ａｃｃｅｓｓ  ｒｅｓｐｏｎｓｅ  ｇｒａｎｔ）内の対応するＣＳＩ要請があるサブフレーム以後に受信されることができる。
【０１４０】
サービングセル内のダウンリンクサブフレームは、次の条件を満たす場合、有効であると見なされる。
【０１４１】
１）該当ダウンリンクサブフレームが該当端末のためのダウンリンクサブフレームから構成され、
【０１４２】
２）該当ダウンリンクサブフレームが送信モード９になく、ＭＢＳＦＮサブフレームではなく、
【０１４３】
３）ＤｗＰＴＳの長さが７６８０Ｔｓと同一であるか、またはそれより小さな場合、該当ダウンリンクサブフレームがＤｗＰＴＳフィールドを含んでおらず、
【０１４４】
４）該当ダウンリンクサブフレームが該当端末のための構成された測定ギャップ（ｃｏｎｆｉｇｕｒｅｄ  ｍｅａｓｕｒｅｍｅｎｔ  ｇａｐ）内になく、
【０１４５】
５）周期的ＣＳＩ報告において、該当端末が周期的ＣＳＩ報告と接続されたＣＳＩサブフレーム集合から構成される場合、該当ダウンリンクサブフレームがＣＳＩサブフレーム集合の要素であると、該当ダウンリンクサブフレームは有効であると見なされる。サービングセル内にＣＳＩ−ＲＳの資源のための有効なダウンリンクサブフレームがない場合、ＣＳＩ報告は、アップリンクサブフレームｎにおいて省略されることができる。
【０１４６】
以下、搬送波集成（ｃａｒｒｉｅｒ  ａｇｇｒｅｇａｔｉｏｎ：ＣＡ）システムについて説明する。
【０１４７】
搬送波集成システムは、多数の要素搬送波（ｃｏｍｐｏｎｅｎｔ  ｃａｒｒｉｅｒ：ＣＣ）を集成することを意味する。このような搬送波集成によって、従来のセルの意味が変更された。搬送波集成によれば、セルとは、ダウンリンク要素搬送波とアップリンク要素搬送波との組み合わせ、または単独のダウンリンク要素搬送波を意味できる。
【０１４８】
また、搬送波集成においてセルは、プライマリセル（ｐｒｉｍａｒｙ  ｃｅｌｌ）とセコンダリーセル（ｓｅｃｏｎｄａｒｙ  ｃｅｌｌ）、サービングセル（ｓｅｒｖｉｎｇ  ｃｅｌｌ）に区分されることができる。プライマリセルは、プライマリ周波数で動作するセルを意味し、ＵＥが基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を行うセル、またはハンドオーバ過程においてプライマリセルで指示されたセルを意味する。セコンダリーセルは、セコンダリー周波数において動作するセルを意味し、一応、ＲＲＣ接続が確立されると設定され、追加的な無線資源を提供するのに使用される。
【０１４９】
上述のように、搬送波集成システムでは、単一搬送波システムとは異なり、複数の要素搬送波（ＣＣ）、すなわち、複数のサービングセルを支援できる。
【０１５０】
このような搬送波集成システムは、交差搬送波スケジューリングを支援できる。交差搬送波スケジューリング（ｃｒｏｓｓ−ｃａｒｒｉｅｒ  ｓｃｈｅｄｕｌｉｎｇ）は、特定要素搬送波を介して送信されるＰＤＣＣＨを介して、他の要素搬送波を介して送信されるＰＤＳＣＨの資源割り当て及び／または特定要素搬送波と基本的にリンクされている要素搬送波以外の他の要素搬送波を介して送信されるＰＵＳＣＨの資源割り当てをすることができるスケジューリング方法である。
【０１５１】
一方、以下、ＭＴＣについて説明する。
【０１５２】
図１０Ａは、ＭＴＣ（Ｍａｃｈｉｎｅ  Ｔｙｐｅ  ｃｏｍｍｕｎｉｃａｔｉｏｎ）通信の一例を示す。
【０１５３】
ＭＴＣ（Ｍａｃｈｉｎｅ  Ｔｙｐｅ  Ｃｏｍｍｕｎｉｃａｔｉｏｎ）は、人間相互作用（ｈｕｍａｎ  ｉｎｔｅｒａｃｔｉｏｎ）を伴わないＭＴＣ機器１００の間に基地局２００を介した情報交換またはＭＴＣ機器１００とＭＴＣサーバ７００との間に基地局を介した情報交換をいう。
【０１５４】
ＭＴＣサーバ７００は、ＭＴＣ機器１００と通信する個体（ｅｎｔｉｔｙ）である。ＭＴＣサーバ７００は、ＭＴＣアプリケーションを実行し、ＭＴＣ機器にＭＴＣ特定サービスを提供する。
【０１５５】
ＭＴＣ機器１００は、ＭＴＣ通信を提供する無線機器であり、固定されるか、または移動性を有することができる。
【０１５６】
ＭＴＣを介して提供されるサービスは、従来の人が介入する通信でのサービスとは差別性を有し、追跡（Ｔｒａｃｋｉｎｇ）、計量（Ｍｅｔｅｒｉｎｇ）、支払（Ｐａｙｍｅｎｔ）、医療分野サービス、遠隔調整など、多様な範ちゅうのサービスが存在する。さらに具体的に、ＭＴＣを介して提供されるサービスは、計量器検針、水位測定、監視カメラの活用、自販機の在庫報告などがありえる。
【０１５７】
ＭＴＣ機器の特異性は、送信データ量が少なく、アップ／ダウンリンクデータ送受信が時折り発生するから、このような低いデータ送信率に合せてＭＴＣ機器の単価を低くし、バッテリー消耗を減らすことが効率的である。このようなＭＴＣ機器は、移動性の少ないことを特徴とし、したがってチャネル環境がほとんど変わらない特性を有している。
【０１５８】
図１０Ｂは、ＭＴＣ機器のためのセルカバレッジ拡張の例示である。
【０１５９】
最近では、ＭＴＣ機器１００のために、基地局のセルカバレッジを拡張することを考慮しており、セルカバレッジ拡張のための多様な技法が論議されている。
【０１６０】
ところが、セルのカバレッジが拡張される場合に、基地局が一般的なＵＥに送信するように、ＰＤＳＣＨとＰＤＳＣＨに対したスケジューリング情報を含むＰＤＣＣＨをカバレッジ拡張地域に位置するＭＴＣ機器に送信すると、ＭＴＣ機器は、これを受信するのに困難を経験するようになる。
【０１６１】
＜本明細書の第１開示＞
【０１６２】
したがって、本明細書の第１開示は、このような問題点を解決する方案を提示することを目的とする。
【０１６３】
上述の問題点を解決するために、本明細書の一開示は、基地局がカバレッジ拡張領域に位置するＭＴＣ機器１００にＰＤＳＣＨ及びＰＤＣＣＨを送信する場合に、複数のサブフレーム（例えば、バンドル（ｂｕｎｄｌｅ）サブフレーム）上において繰り返し的に送信するようにする。したがって、ＭＴＣ機器は、複数のサブフレームを介してＰＤＣＣＨのバンドルを受信し、ＰＤＣＣＨのバンドルをデコードすることで、デコード成功率を高めることができる。すなわち、複数のサブフレームを介して受信されるＰＤＣＣＨのバンドルのうち、一部または全体を利用して、ＰＤＣＣＨを成功的にデコードできる。言い換えれば、ＭＴＣ機器は、同じＰＤＣＣＨが繰り返されているＰＤＣＣＨのバンドルを結合してデコードすることで、デコード成功率を高めることができる。同様に、ＭＴＣ機器は、複数のサブフレームを介してＰＤＳＣＨのバンドルを受信し、ＰＤＳＣＨのバンドルのうちの一部または全体をデコードすることで、デコード成功率を高めることができる。同様に、カバレッジ拡張地域に位置するＭＴＣ機器は、ＰＵＣＣＨのバンドルを複数のサブフレームを介して送信できる。同様に、ＭＴＣ機器は、ＰＵＳＣＨのバンドルを複数のサブフレームを介して送信できる。
【０１６４】
図１１Ａ及び図１１Ｂは、ＰＤＣＣＨのバンドルとＰＤＳＣＨのバンドルが送信される例を示した例示図である。
【０１６５】
図１１Ａを参照すると、基地局は、カバレッジ拡張地域に位置するＭＴＣ機器のために、複数（例えば、Ｎ個）のサブフレーム上に同じＰＤＣＣＨが繰り返されているＰＤＣＣＨのバンドルを送信できる。また、基地局は、複数（例えば、Ｄ個）のサブフレーム上に同じＰＤＳＣＨが繰り返されているＰＤＳＣＨのバンドルを送信できる。このとき、ＰＤＳＣＨのバンドルは、ＰＤＣＣＨのバンドルの送信が完了した後、所定のギャップ、例えばＧ個のサブフレーム以後に送信されることができる。
【０１６６】
一方、図１１Ｂを参照すると、基地局は、カバレッジ拡張地域に位置するＭＴＣ機器のために、Ｎ個のサブフレームの間にＰＤＣＣＨのバンドルを送信し、ＰＤＣＣＨのバンドルが始まってからＫサブフレームが以後にＰＤＳＣＨのバンドルをＤ個のサブフレームの間に送信できる。
【０１６７】
ＰＤＣＣＨのバンドルが送信され始めるサブフレームの位置は、従来のように自由でなく、事前に約束されたサブフレーム位置上においてのみ送信が始まることができる。このようなサブフレームの位置は、固定された値と定義されることができる。このとき、固定された値は、ＭＩＢを介してＭＴＣ機器に伝達されることもできる。例えば、ＰＤＣＣＨのバンドルがＳＦＮ（Ｓｙｓｔｅｍ  Ｆｒａｍｅ  Ｎｕｍｂｅｒ）％Ｎ＝０においてのみ送信が始まると仮定する場合、Ｎ値（例えば、Ｎ＝２０）をＭＩＢを介してＭＴＣ機器に伝達できる。あるいは、ＰＤＣＣＨのバンドルがＳＦＮ％Ｎ＝ｏｆｆｓｅｔにおいてのみ送信が始まると仮定する場合、オフセットの値は、ＭＩＢを介してＭＴＣ機器に伝達することもできる。例えば、カバレッジ拡張地域に位置するＭＴＣ機器のためのＰＤＣＣＨのバンドル送信は、１００の倍数（０番、１００番、２００番、３００番、…）に該当するサブフレームｏｒ  ＳＦＮ位置を介してのみ始まることができる。このとき、ＭＴＣ機器は、１００の倍数に該当するサブフレームまたはＳＦＮ位置からＮ個のサブフレームを介してＰＤＣＣＨバンドルを受信するよう試みることができる。ここで、ＰＤＣＣＨバンドルが送信し始めることができるサブフレーム位置は、ＭＴＣ機器別に相異なることができる。
【０１６８】
＜本明細書の第２開示＞
【０１６９】
一方、上述のようにＭＴＣ機器は、送信データ量が少なく、アップ／ダウンリンクデータ送受信が時折り発生する点を鑑みると、ＭＴＣ機器の性能を低くすることによって製造単価を低くし、それによって補給率を高めることができる。例えば、半二重（ｈａｌｆ−ｄｕｐｌｅｘ：ＨＤ）通信を適用することによって、ＭＴＣ機器の製造単価を低くし、それによって補給率を高めることができる。このとき、ＬＴＥ／ＬＴＥ−Ａは、ＴＤＤ方式とＦＤＤ方式とに区分されるが、ＭＴＣ機器は、半二重（ＨＤ）通信基盤のＦＤＤ方式を使用することができる。
【０１７０】
一方、以下では、半二重通信基盤のＦＤＤ方式（以下、ＨＤ−ＦＤＤという）を可能にする技法について説明する。
【０１７１】
Ｉ．ＨＤ−ＦＤＤでの転換時間（保護区間（ｇｕａｒｄ  ｐｅｒｉｏｄ：ＧＰ））
【０１７２】
ＨＤ−ＦＤＤを導入する場合、ＭＴＣ機器は、送信と受信を互いに異なる搬送波周波数上において行わなければならない。すなわち、ＭＴＣ機器は、受信のためには、ＲＦ部をダウンリンク搬送波周波数に合せてチューニングし、送信のためには、ＲＦ部をアップリンク搬送波周波数に合せてチューニングしなければならない。
【０１７３】
Ａ．転換サブフレームの構成１
【０１７４】
ＭＴＣ機器がダウンリンク搬送波上において受信している途中に以後アップリンク搬送波上において送信しようとする場合、ＭＴＣ機器は、周波数を転換（ｓｗｉｔｃｈｉｎｇまたはｔｒａｎｓｉｔｉｎｇ）し、かつ基地局との距離に応じてアップリンクの送信をダウンリンク受信タイミングより操り上げて行うＴＡ（ｔｉｍｉｎｇ  ａｄｖａｎｃｅ）を行わなければならないので、最大２ｍｓｅｃの時間が消耗／要求されることができる。
【０１７５】
これに対し、ダウンリンク搬送波周波数とアップリンク搬送波周波数が互いに異なる帯域（ｉｎｔｅｒ−ｂａｎｄ）に位置した場合、ＭＴＣ機器がアップリンク搬送波上において送信している途中に以後ダウンリンク搬送波上において受信しようとする場合、周波数を転換（ｓｗｉｔｃｈｉｎｇまたはｔｒａｎｓｉｔｉｎｇ）するのに最大１ｍｓｅｃの時間が消耗／要求される。
【０１７６】
以下、図１２Ａ及び図１２Ｂを参照して説明する。
【０１７７】
図１２Ａと図１２Ｂは、ダウンリンク搬送波とアップリンク搬送波上におけるＨＤ  ＦＤＤ動作を示した一例である。
【０１７８】
図１２Ａを参照して分かるように、ＭＴＣ機器がダウンリンク搬送波上において受信している途中に以後アップリンク搬送波上において送信しようとする場合、周波数を転換（ｓｗｉｔｃｈｉｎｇまたはｔｒａｎｓｉｔｉｎｇ）し、ＴＡを行うのを考慮すれば、最大２ｍｓｅｃの時間が消耗／要求される。
【０１７９】
すなわち、図１２Ａのように、ダウンリンクサブフレームとアップリンクサブフレームとの間には、２個のサブフレームを転換サブフレームとして置くことができる。
【０１８０】
これに対し、図１２Ｂを参照して分かるように、ＭＴＣ機器がアップリンク搬送波上において送信している途中に、以後ダウンリンク搬送波上において受信しようとする場合、周波数を転換（ｓｗｉｔｃｈｉｎｇまたはｔｒａｎｓｉｔｉｎｇ）するのに最大１ｍｓｅｃの時間が消耗／要求される。
【０１８１】
すなわち、ダウンリンクサブフレームとアップリンクサブフレームとの間に１個のサブフレームを転換サブフレームとして置くことができる。
【０１８２】
図１２Ａ及び図１２Ｂに示した転換サブフレームを保護区間（ｇｕａｒｄ  ｐｅｒｉｏｄ：ＧＰ）と定義することができる。このような転換サブフレーム、すなわち保護区間の間には、ダウンリンク／アップリンクの信号（またはチャネル）の送受信がなされずに、ＭＴＣ機器がダウンリンクからアップリンクへの転換を行い、アップリンク送信タイミングを合せるのに使用されることができる。
【０１８３】
Ｂ． 転換サブフレームの構成２
【０１８４】
上述のように、ＨＤ−ＦＤＤ動作を行う場合、ＭＴＣ機器がダウンリンク受信からアップリンク送信へ転換する際の転換時間は、最大１ｍｓｅｃが要求されるが、ＴＡを行う際に１ｍｓｅｃも必要であることではない。しかも、図３を参照して分かるように、ＴＤＤでは１ｍｓｅｃのスペシャルサブフレーム（ｓｐｅｃｉａｌ  ｓｕｂｆｒａｍｅ）を全部保護区間として置かずに、一部をＯＦＤＭシンボルをＤｗＰＴＳ、ＵｐＰＴＳとして 使用している。このとき、スペシャルサブフレームの保護区間（すなわち、ｇｕａｒｄ  ｐｅｒｉｏｄ＝１ｍｓｅｃ-ＤｗＰＴＳ-ＵｐＰＴＳ）は、上述の表３から分かるように、ノーマルＣＰを使用する場合、スペシャルサブフレーム設定に応じて最小１個ＯＦＤＭシンボルの長さから最大１０個のＯＦＤＭシンボルの長さまで存在する。
【０１８５】
したがって、一実施の形態によれば、ＨＤ−ＦＤＤにおいてＭＴＣ機器がダウンリンクからアップリンクへの転換の際、ダウンリンクサブフレームとアップリンクサブフレームとの間に総２ｍｓｅｃからなるＤｗＰＴＳ、保護区間、ＵｐＰＴＳ区間を置くことを提案する。これについて、図１３Ａ及び図１３Ｂを参照して説明する。
【０１８６】
図１３Ａ及び図１３Ｂは、ＨＤ−ＦＤＤのための保護区間を示した例示図である。
【０１８７】
図１３Ａを参照すると、上述のように、ダウンリンクサブフレームとアップリンクサブフレームとの間に２ｍｓｅｃの転換サブフレームを置くものの、転換サブフレームは、ＤｗＰＴＳ、保護区間、ＵｐＰＴＳを含むことができる。このとき、特徴的にＤｗＰＴＳとＵｐＰＴＳの長さは、上記の表２のようにＴＤＤでの長さと同様に構成されることができる。
【０１８８】
または、図１３Ｂを参照して分かるように、ダウンリンクサブフレームとアップリンクサブフレームとの間に総２ｍｓｅｃからなる転換サブフレームを置くものの、転換サブフレームは、ＤｗＰＴＳと保護区間を含むことができる。このとき、ＤｗＰＴＳの長さは、表２のようにＴＤＤでの長さと同一でありうる。または、ＤｗＰＴＳの長さは、表２でのＤｗＰＴＳとＵｐＰＴＳの長さを合せた分だけの長さと同一でありうる。
【０１８９】
一方、ＭＴＣ機器がアップリンクからダウンリンクへの転換する際には、アップリンクサブフレームとダウンリンクサブフレームとの間に総１ｍｓｅｃからなる転換サブフレーム、すなわち保護区間を置くものの、該当転換サブフレームは、保護区間だけを含むことができる。
【０１９０】
Ｃ．ダウンリンク受信からアップリンク送信への転換及びアップリンク送信からダウンリンク受信への転換のための保護区間
【０１９１】
低い複雑度（低価）のためのＨＤ−ＦＤＤ  ＭＴＣ機器が単独のオシレ−タ（ｏｓｃｉｌｌａｔｏｒ）だけを含む場合、ダウンリンク受信からアップリンク送信への転換及びアップリンク送信からダウンリンク受信への転換のためには、最小１ｍｓｅｃの保護区間が必要でありうる。
【０１９２】
保護区間は、サブフレームに先行する（ｐｒｅｃｅｄｉｎｇ）ダウンリンクサブフレーム、すなわちアップリンクサブフレームの直前のダウンリンクサブフレーム上の最後の部分をＭＴＣ機器がアップリンク受信しないことによって生成されることができる。具体的には、図１４Ａ及び図１４Ｂを参照して説明する。
【０１９３】
図１４Ａ及び図１４Ｂは、ＨＤ−ＦＤＤのための保護区間を示した他の例示図である。
【０１９４】
図１４Ａを参照して分かるように、ＭＴＣ機器がダウンリンク受信からアップリンク送信への転換を行おうとする場合に必要な保護区間は、アップリンクサブフレーム前のダウンリンクサブフレームの最後の部分をＭＴＣ機器が受信しないことによって生成できる。または、ＭＴＣ機器は、アップリンクサブフレーム前のダウンリンクサブフレーム全体を受信しないことによって、保護区間を生成できる。
【０１９５】
同様に、図１４Ｂを参照して分かるように、ＭＴＣ機器は、アップリンク送信からダウンリンク受信への転換を行おうとする場合に必要な保護区間は、アップリンクサブフレームの直後のダウンリンクサブフレームの前部分を受信しないことによって生成できる。または、ＭＴＣ機器は、アップリンクサブフレームの次のダウンリンクサブフレーム全体を受信しないことによって、保護区間を生成できる。
【０１９６】
一方、例えば、ＭＴＣ機器がサブフレームｎ、ｎ＋１、ｎ＋２をそれぞれアップリンク、ダウンリンク、アップリンクサブフレームとして使用する場合（すなわち、ＭＴＣ機器がサービングセルからサブフレームｎ、ｎ＋１、ｎ＋２をそれぞれアップリンク、ダウンリンク、アップリンクに割り当てられる場合）、サブフレームｎ＋１に位置したダウンリンクサブフレームにおいて保護区間を生成しなくても良い。または、サブフレームｎ＋１においてＭＴＣ機器は、ダウンリンク動作を行わなくても良い。すなわち、サブフレームｎ＋１においてＭＴＣ機器は、ダウンリンクチャネル／信号を受信しなくても良い。これは、ｎ番のアップリンクサブフレームからｎ＋１番目のダウンリンクサブフレームに転換するために、ｎ＋１番目のダウンリンクサブフレームにおいて保護区間を生成し、再度ｎ＋１番目のダウンリンクサブフレームからｎ＋２番目のアップリンクサブフレームに転換するために、ｎ＋１番目のダウンリンクサブフレームにおいて保護区間を生成する場合、ＭＴＣ機器は、ｎ＋１番目のダウンリンクサブフレームのほとんど、または全体を受信することができなくなるためである。または、ＭＴＣ機器がｎ番のサブフレームとｎ＋２番目のサブフレームを全部アップリンクサブフレームとして使用する場合（すなわち、ＭＴＣ機器がサービングセルから番目のサブフレームとｎ＋２番目のサブフレームを全部アップリンクに割り当てられる場合）、ｎ＋１番目のサブフレームを含んで該当二つのアップリンクサブフレームの間で保護区間を生成しなくても良い。または、ＭＴＣ機器は、ｎ＋１番目のサブフレームにおいてダウンリンクチャネル／信号を受信しなくても良い。
【０１９７】
他方、例えば、ＭＴＣ機器がｎ番のサブフレーム、ｎ＋１番目のサブフレーム、ｎ＋２番目のサブフレームをそれぞれアップリンク、ダウンリンク、アップリンクとして使用する場合（すなわち、ＭＴＣ機器がサービングセルからｎ番のサブフレーム、ｎ＋１番目のサブフレーム、ｎ＋２番目のサブフレームをそれぞれアップリンク、ダウンリンク、アップリンクに割り当てられる場合）、ｎ＋１番目のサブフレームであるダウンリンクサブフレームをアップリンクサブフレームとして見なし／仮定して、アップリンク動作を行うことができる。または、ＭＴＣ機器は、ｎ番及びｎ＋２番目のサブフレームを全部アップリンクサブフレームとして使用する場合、サブフレームｎ＋１をアップリンクサブフレームとして見なし／仮定して、アップリンク動作を行うことができる。
【０１９８】
同じ原理で、ＭＴＣ機器がｎ番目、ｎ＋１番目、ｎ＋２番目のサブフレームをそれぞれアップリンク、ダウンリンク、ダウンリンクサブフレームとして使用する場合、サブフレームｎ＋１に位置したダウンリンクサブフレームにおいてｇｕａｒｄ  ｐｅｒｉｏｄを生成できる。
【０１９９】
同様に、同じ原理で、ＭＴＣ機器がｎ番目、ｎ＋１番目、ｎ＋２番目、ｎ＋３番目のサブフレームをそれぞれアップリンク、ダウンリンク、ダウンリンク、アップリンクとして使用する場合、ＭＴＣ機器は、ｎ＋１番目及びｎ＋２番目のサブフレームに位置したダウンリンクサブフレームにおいて保護区間を生成しなくても良い。または、ＭＴＣ機器は、ｎ＋１番目及びｎ＋２番目のサブフレームにおいてダウンリンクチャネル／信号を受信しなくても良い。その理由は、ｎ番のアップリンクサブフレームからｎ＋１番目のダウンリンクサブフレームに転換するために、ｎ＋１番目のダウンリンクサブフレームにおいて保護区間を生成し、またｎ＋２番目のダウンリンクサブフレームからｎ＋３番目のアップリンクサブフレームに転換するために、ｎ＋２番目のダウンリンクサブフレームにおいて保護区間を生成するようになると、ＭＴＣ機器は、ダウンリンクに該当するｎ＋１番目及びｎ＋２番目のサブフレームのほとんど、または全体を受信できなくなるためである。または、ＭＴＣ機器がｎ番及びｎ＋３番目のサブフレームを全部アップリンクサブフレームとして使用する場合、ｎ番及びｎ＋３番目のアップリンクサブフレームの間に存在するｎ＋１番目及びｎ＋２番目のダウンリンクサブフレーム上において保護区間を生成しなくても良い。または、ｎ＋１番目及びｎ＋２番目のダウンリンクサブフレーム上においてダウンリンクチャネル／信号を受信しなくても良い。
【０２００】
また、ＭＴＣ機器は、ｎ番目、ｎ＋１番目、ｎ＋２番目及びｎ＋３番目のサブフレームをそれぞれアップリンク、ダウンリンク、ダウンリンク、アップリンクとして使用する場合、ｎ＋１番目及びｎ＋２番目のダウンリンクサブフレームをアップリンクサブフレームとして見なし／仮定して、アップリンク動作を行うことができる。または、ＭＴＣ機器は、ｎ番及びｎ＋３番目のサブフレームを全部アップリンクサブフレームとして使用する場合、サブフレームｎ＋１番及びｎ＋２番のサブフレームをアップリンクとして見なして／仮定して、アップリンク動作を行うことができる。
【０２０１】
Ｄ．ＨＤ−ＦＤＤのためのＰＤＣＣＨ−サブフレーム
【０２０２】
一般に、ＰＤＣＣＨが含まれたサブフレームをＰＤＣＣＨサブフレームという。ＦＤＤの場合、任意のサブフレームをＰＤＣＣＨサブフレームとも言えるが、ＴＤＤの場合、搬送波集成（ＣＡ）により複数のセルと同時に送受信が可能な場合に、通常のダウンリンクサブフレームだけでなく、ｓｃｈｅｄｕｌｉｎｇＣｅｌｌＩｄが設定されたサービングセルを除いたすべてのセルのＤｗＰＴＳを含むサブフレームをＰＤＣＣＨサブフレームということができる。あるいはＰＤＣＣＨサブフレームは、搬送波集成（ＣＡ）においてプライマリセル（Ｐｃｅｌｌ）のダウンリンクサブフレームまたはＤｗＰＴＳを含むサブフレームを意味できる。
【０２０３】
ＰＤＣＣＨサブフレームに該当するサブフレームがＨＤ−ＦＤＤのためのアップリンク送信のために使用されずに、該当サブフレームが測定ギャップ（ｍｅａｓｕｒｅｍｅｎｔ  ｇａｐ）の一部でないと、ＭＴＣ機器は、活性時間（Ａｃｔｉｖｅ  ｔｉｍｅ）の間にＰＤＣＣＨをモニタリングできる。
【０２０４】
このとき、ＨＤ−ＦＤＤ環境において、ダウンリンク受信からアップリンク送信への転換のための保護区間が存在するダウンリンクサブフレームにおいて、保護区間は、ＰＤＣＣＨを受信することができないほど長い場合が発生できる。
【０２０５】
すなわち、例えば、保護区間が一つのサブフレーム長である１ｍｓｅｃであるから、一つのサブフレーム全体において如何なるチャネル／信号を受信しない場合もある。
【０２０６】
他の例として、保護区間が一つのサブフレーム長である１ｍｓｅｃよりは小さいが、ＰＤＣＣＨを受信できない状況もあることができる。例示的に、図１５を参照して説明すれば、次の通りである。
【０２０７】
図１５は、保護区間によってＰＤＣＣＨを受信することができない例を示した例示図である。
【０２０８】
図１５を参照して分かるように、通常のＣＰにおいて保護区間として１２個のＯＦＤＭシンボル以上が必要であるが、ＰＤＣＣＨは、３個のＯＦＤＭシンボル上において受信される場合、一部シンボル上のＰＤＣＣＨを正しく受信することができない場合がある。このような場合、該当ダウンリンクサブフレームでは、ＰＤＣＣＨを受信することができなくなる。したがって、ＨＤ−ＦＤＤ環境において保護区間によってＰＤＣＣＨを受信することができないダウンリンクサブフレームは、ＰＤＣＣＨ−サブフレームから除外できる。
【０２０９】
このとき、ダウンリンクサブフレームにおいて保護区間を除いた残りの時間領域またはＯＦＤＭシンボル領域は、ＨＤ−ＤｗＰＴＳと定義できる。これについて図１６を参照して説明する。
【０２１０】
図１６は、保護区間を含む一つのサブフレームを示した例示図である。
【０２１１】
図１６を参照すると、ダウンリンクサブフレームにおいて保護区間を除いた残りの時間領域またはＯＦＤＭシンボル領域がＨＤ−ＤｗＰＴＳと表記されている。
【０２１２】
このとき、保護区間が存在しない一般的なダウンリンクサブフレームは、ＨＤ−ＤｗＰＴＳの長さが通常のＣＰの場合に１４個のＯＦＤＭシンボルであり、拡張ＣＰの場合に１２個のシンボル、すなわち１ｍｓｅｃになる。仮に、特定ダウンリンクサブフレームにおいて保護区間が１ｍｓｅｃであると、ＨＤ−ＤｗＰＴＳは、０ＯＦＤＭシンボルまたは０ｍｓｅｃになる。
【０２１３】
一方、ＰＤＣＣＨ−サブフレームに対する従来の定義は、ＨＤ−ＦＤＤ環境において以下の内容のうちの一つまたは複数の組み合わせにより改善されることができる。
【０２１４】
ａ）保護区間が存在しないダウンリンクサブフレーム
【０２１５】
ｂ）保護区間がＸ個のＯＦＤＭシンボル（またはＸ個のＯＦＤＭシンボルに該当する時間長）より小さいか、または同じであるダウンリンクサブフレーム（例えば、Ｘ＝１１）
【０２１６】
ｃ）保護区間がＸ個のＯＦＤＭシンボル（またはＸ個のＯＦＤＭシンボルに該当する時間長）より大きいか、または同じである場合、保護区間が存在しないダウンリンクサブフレーム（例えば、Ｘ＝１１）
【０２１７】
ｄ）保護区間がＸ個のＯＦＤＭシンボル（またはＸ個のＯＦＤＭシンボルに該当する時間長）より小さいか、または同じである場合、任意（ａｎｙ）のダウンリンクサブフレーム（例えば、Ｘ＝１１）
【０２１８】
ｅ）保護区間がＰＤＣＣＨ送信ＯＦＤＭシンボル領域を侵犯しないダウンリンクサブフレーム
【０２１９】
ｆ）ＨＤ−ＤｗＰＴＳの長さが１ｍｓｅｃである（または通常のＣＰの１４個のＯＦＤＭシンボルまたは拡張ＣＰの１２個のシンボル）ダウンリンクサブフレーム
【０２２０】
ｇ）ＨＤ−ＤｗＰＴＳの長さがＹ個のＯＦＤＭシンボル（またはＹ個のＯＦＤＭシンボルに該当する時間長）より大きいか、または同じであるダウンリンクサブフレーム（例えば、Ｙ＝３）
【０２２１】
ｈ）ＨＤ−ＤｗＰＴＳの間にＰＤＣＣＨが送信されることができるダウンリンクサブフレーム
【０２２２】
この場合、ＤＲＸにおいて活性時間（Ａｃｔｉｖｅ  Ｔｉｍｅ）に保護区間として使用されるサブフレーム（ｎｏｎ−ＰＤＣＣＨ−ｍｏｎｉｔｏｒｉｎｇサブフレーム）は含まれなくても良い。
【０２２３】
例を挙げて説明すると、ｎ番目、ｎ＋１番目、ｎ＋２番目のサブフレームがそれぞれアップリンク、ダウンリンク、アップリンクに設定された場合、二つのアップリンクサブフレームの間に存在するダウンリンクサブフレームにおいてＭＴＣ機器は、一実施の形態によってダウンリンク受信を行わない場合、該当ダウンリンクサブフレームは、ＰＤＣＣＨ−サブフレームから除外されることができる。同様に、ｎ番目、ｎ＋１番目、ｎ＋２番目及びｎ＋３番目のサブフレームがそれぞれアップリンク、ダウンリンク、ダウンリンク、アップリンクに設定された場合（すなわち、ｎ番及びｎ＋３番目のサブフレームがアップリンクに設定された場合）、二つのアップリンクサブフレームの間に存在するダウンリンクサブフレームもやはり、このようなＰＤＣＣＨ−サブフレームから除外されることができる。
【０２２４】
このとき、サービングセルとＭＴＣ機器が認識するＰＤＣＣＨ−サブフレームとが同一でない場合、特定ダウンリンクサブフレームにおいてＭＴＣ機器はＰＤＣＣＨを受信したにもかかわらず、サービングセルは、ＭＴＣ機器が保護区間のためにＰＤＣＣＨを受信できなかっと判断してしまうエラーを犯すことができる。例えば、ＭＴＣ機器は、保護区間として１個のＯＦＤＭシンボルを使用するが、サービングセルは、１個のサブフレームを使用すると仮定すると、ＰＤＣＣＨ−モニタリングサブフレームに対する仮定がＭＴＣ機器とサービングセルの間に変わることができる。このような不一致城（ｉｎｃｏｎｓｉｓｔｅｎｃｙ）は、ＤＲＸなどの動作に影響を与えることもできる。サービングセルがＭＴＣ機器のＰＤＣＣＨ−サブフレームを明確に分かるためには、 サービングセルとＭＴＣ機器が同じ保護区間を仮定することができなければならない。このために、次のような方法を使用することを提案する。
【０２２５】
ａ）サービングセルとＭＴＣ機器は、常に保護区間を特定値と仮定できる。例えば、サービングセルとＭＴＣ機器は、常に保護区間が１ｍｓｅｃと仮定できる。または、サービングセルは、このような保護区間に対する情報を上位階層シグナルを介してＭＴＣ機器に知らせることができる。このとき、上位階層シグナルは、ＴＤＤスペシャルサブフレーム設定の形態でありうる。または、サービングセルは、このような保護区間に対する情報をＴＤＤスペシャルサブフレーム設定を介してＭＴＣ機器に知らせることができる。このとき、サービングセルとＭＴＣ機器は、保護区間のみを使用し、ＵｐＰＴＳはないと仮定できる。したがって、ＵｐＰＴＳに使用されるＯＦＤＭシンボルは、ダウンリンクとして使用されると仮定できる。
【０２２６】
ｂ）代案的にＭＴＣ機器は、自分に必要な保護区間をサービングセルに知らせることができる。ＭＴＣ機器自身が必要な保護区間に対する情報は、ランダムアクセス応答受信後のスケジューリング送信（Ｍｓｇ３ともいう）を介して伝達されることができる。または、ＭＴＣ機器自身が必要な保護区間に対する情報は、ＰＵＳＣＨ／ＲＲＣあるいは性能情報（ｃａｐａｂｉｌｉｔｙ  Ｉｎｆｏｒｍａｔｉｏｎ）を介して送信されることができる。このように、ＭＴＣ機器が自ら知らせる場合にも、サービングセルは、保護区間の値を設定してＭＴＣ機器に知らせることもできる。
【０２２７】
他方、ＰＤＣＣＨサブフレームに対する定義を変えないで活性時間（ａｃｔｉｖｅ  ｔｉｍｅ）に対する定義を変更できる。この場合、活性時間の定義は、次のとおりでありうる。この場合、ＤＲＸサイクルに活性時間は保護区間として使用されるサブフレームも含むことができるが、ＭＴＣ機器は、ＰＤＣＣＨ  ｍｏｎｉｔｏｒｉｎｇをしなくてもよい。
【０２２８】
ａ）ＰＤＣＣＨサブフレームに該当するサブフレームがＨＤ−ＦＤＤのためのアップリンク送信のために使用されないで、ＨＤ−ＤｗＰＴＳのサイズがｘ（通常のＣＰのために）あるいはｙ（拡張ＣＰのために）より大きく、該当サブフレームが測定ギャップ（ｍｅａｓｕｒｅｍｅｎｔ  ｇａｐ）の一部でない場合、ＭＴＣ機器は、活性時間（Ａｃｔｉｖｅ  ｔｉｍｅ）の間にＰＤＣＣＨをモニタリングできる。
【０２２９】
ｂ）ＰＤＣＣＨサブフレームに該当するサブフレームがＨＤ−ＦＤＤのためのアップリンク送信のために使用されずに、該当サブフレームがＨＤのための保護サブフレーム（ｇｕａｒｄ  ｓｕｂｆｒａｍｅ）でなく、該当サブフレームが測定ギャップ（ｍｅａｓｕｒｅｍｅｎｔ  ｇａｐ）の一部でない場合、ＭＴＣ機器は、活性時間（Ａｃｔｉｖｅ  ｔｉｍｅ）の間にＰＤＣＣＨをモニタリングできる。
【０２３０】
例えば、ｎ番目、ｎ＋１番目、ｎ＋２番目のサブフレームがそれぞれアップリンク、ダウンリンク、アップリンクに設定された場合（すなわち、ｎ番及びｎ＋２番目のサブフレームは、アップリンクに設定された場合）、二つのアップリンクサブフレームの間に存在するダウンリンクサブフレームは、保護区間を含むので、ダウンリンクサブフレーム上においては、ＭＴＣ機器は、一実施の形態によってダウンリンク受信をしなく、さらにはＰＤＣＣＨモニタリングも行わない場合もある。他の例として、ｎ番目、ｎ＋１番目、ｎ＋２番目、ｎ＋３番目のサブフレームがそれぞれアップリンク、ダウンリンク、ダウンリンク、アップリンクに設定された場合（すなわち、ｎ番及びｎ＋３番目のサブフレームがアップリンクに設定された場合）、二つのアップリンクサブフレームの間に存在するダウンリンクサブフレームは保護区間を含むので、ダウンリンクサブフレーム上においては、ＭＴＣ機器は、一実施の形態によってダウンリンク受信を行わず、さらにはＰＤＣＣＨモニタリングを行わない場合もある。
【０２３１】
図面を参照して説明すれば、次の通りである。
【０２３２】
図１７は、一実施の形態による方法を示したフローチャートである。
【０２３３】
図１７を参照して分かるように、ＦＤＤにおいて半二重で動作する場合、ＭＴＣ機器は、ＤＲＸが設定されたかどうかを確認する。ＤＲＸが設定された場合、現在が活性時間であるかどうかを判断する。活性時間である場合、現在ダウンリンクサブフレームが保護区間を含むかどうかを 確認する。すなわち、ダウンリンクサブフレームの直後がアップリンクサブフレームであるかどうかを判断する。あるいはダウンリンクサブフレームの直前がアップリンクサブフレームであるかどうかを判断する。保護区間を含む場合、該当ダウンリンクサブフレーム上においては、ＰＤＣＣＨをモニタリングしない。しかしながら、保護区間を含まない場合、該当ダウンリンクサブフレーム上においてＰＤＣＣＨをモニタリングする。
【０２３４】
ＩＩ．ＣＳＩ−ＲＳを利用したＣＱＩ測定
【０２３５】
先に図８及び図９を参照して説明したように、ＣＱＩは、ＣＲＳまたはＣＳＩ−ＲＳに基づいて測定できる。以下、ＣＳＩ−ＲＳに基づいてＣＱＩを測定することを中心に説明する。
【０２３６】
先の図１４Ａに示したように、ＨＤ−ＦＤＤ環境においてＭＴＣ機器が受信から送信への転換（Ｒｘ−ｔｏ−Ｔｘ  ｓｗｉｔｃｈｉｎｇ）を行うために、アップリンクサブフレーム前のダウンリンクサブフレームの最後の部分を保護区間（ＧＰ）として使用する場合、保護区間では、ＣＲＳまたは ＣＳＩ−ＲＳを十分に受信できない場合もある。同様に、図１４Ｂに示すように、ＭＴＣ機器が送信から受信への転換（Ｔｘ−ｔｏ−Ｒｘ  ｓｗｉｔｃｈｉｎｇ）を行うために、アップリンクサブフレームの次のダウンリンクサブフレームの前部分を保護区間（ＧＰ）として使用する場合、保護区間では、ＣＲＳまたはＣＳＩ−ＲＳを十分に受信できない場合もある。
【０２３７】
したがって、保護区間の長さに応じて保護区間が存在するダウンリンクサブフレームは、ＣＱＩ測定のための有効（ｖａｌｉｄ）ダウンリンクサブフレームに指定されないことが望ましいことができる。したがって、一実施の形態によれば、ＣＱＩ測定を正しく行い難い場合（すなわち、ＣＲＳまたはＣＳＩ−ＲＳＲＥを十分に受信できない場合）、該当サブフレームを有効ダウンリンクサブフレームから除外することを提案する。
【０２３８】
結果的に、一実施の形態によれば、ＣＳＩ−ＲＳ資源を決定するための、有効ダウンリンクサブフレームに次のような条件を含めることができる。
【０２３９】
ａ）保護区間として使用されない（保護区間が存在しない）ダウンリンクサブフレーム
【０２４０】
ｂ）Ｘ  ｍｓｅｃ（Ｙ  ＯＦＤＭシンボル）より大きいか、または同じである保護区間を含まないダウンリンクサブフレーム
【０２４１】
ｃ）Ｘ  ｍｓｅｃ（Ｙ  ＯＦＤＭシンボル）より小さいか、または同じである保護区間を含むダウンリンクサブフレーム
【０２４２】
ｄ）すべての（またはＰＲＢ当たりにいくつか以上の）ＣＲＳＲＥ（またはＣＳＩ−ＲＳＲＥ）を受信することができるダウンリンクサブフレーム
【０２４３】
ｅ）ＨＤ−ＤｗＰＴＳの長さがＸ  ｍｓｅｃ（Ｙ  ＯＦＤＭシンボル）より大きいか、または同じであるダウンリンクサブフレーム
【０２４４】
ｆ）ＨＤ−ＤｗＰＴＳの長さがＸ  ｍｓｅｃ（Ｙ  ＯＦＤＭシンボル）より小さいか、または同じくないダウンリンクサブフレーム
【０２４５】
例を挙げて説明すれば、ｎ番目、ｎ＋１番目、ｎ＋２番目のサブフレームがそれぞれアップリンク、ダウンリンク、アップリンクに設定された場合（すなわち、ｎ番及びｎ＋２番目のサブフレームがアップリンクに設定された場合）、一実施の形態によってＭＴＣ機器が二つのアップリンクサブフレームの間に存在するダウンリンクサブフレームにおいてダウンリンクチャネル／信号を受信しないので、このようなダウンリンクサブフレームもやはり、ＣＱＩあるいはＣＳＩ測定のための有効なサブフレームから除外されることができる。同様に、ｎ番目、ｎ＋１番目、ｎ＋２番目、ｎ＋３番目のサブフレームがそれぞれアップリンク、ダウンリンク、ダウンリンク、アップリンクに設定された場合（すなわち、ｎ番及びｎ＋３番目のサブフレームがアップリンクに設定された場合）、二つのアップリンクサブフレームの間に存在するダウンリンクサブフレームもやはり、ＣＱＩあるいはＣＳＩ測定のための有効なサブフレームから除外されることができる。
【０２４６】
ＩＩＩ．ダウンリンクチャネルとアップリンクチャネルとの間に衝突問題
【０２４７】
ＨＤ−ＦＤＤ環境において、アップリンクチャネル／信号を送信しなければならないサブフレーム上においてダウンリンクチャネルを受信しなければならない問題が発生するか、またはアップリンク送信のために受信から送信へ転換を行わなければならないサブフレームにダウンリンクチャネルを受信しなければならないという問題が発生できる。例えば、ＰＵＣＣＨ（ＣＳＩ  ｒｅｐｏｒｔ）／ＳＲＳ／ＰＲＡＣＨを送信しなければならないサブフレームまたは受信から送信へ転換（Ｒｘ−ｔｏ−Ｔｘ）を行わなければならないサブフレームにおいてＰＨＩＣＨ／ＳＰＳを受信しなければならない状況が発生できる。
【０２４８】
以下、ダウンリンクチャネルとアップリンクチャネルとの間に衝突が発生する場合のＭＴＣ機器動作を提案する。
【０２４９】
Ａ．ＰＵＣＣＨとＰＨＩＣＨ間の衝突
【０２５０】
ＭＴＣ機器が周期的／非周期的ＣＳＩ報告を含むＰＵＣＣＨを送信しなければならないタイミング（すなわち、サブフレーム）にＰＨＩＣＨを受信しなければならないから、ＰＵＣＣＨとＰＨＩＣＨとが同一タイミング（すなわち、同一位置のサブフレーム）において衝突できる。またはＭＴＣ機器が受信から送信へ転換しなければならないタイミング（すなわち、保護区間を含むサブフレーム）においてＰＨＩＣＨを送信しなければならないから、保護区間とＰＨＩＣＨとが同一タイミング（すなわち、同一位置のサブフレーム）において衝突できる。
【０２５１】
図１８Ａ及び図１８Ｂは、ＰＵＣＣＨとＰＨＩＣＨとが互いに衝突される例を示す。
【０２５２】
図１８Ａに示すように、ＭＴＣ機器がサービングセルにＰＵＳＣＨを送信した後、ＰＵＳＣＨに対したＰＨＩＣＨを受信しなければならないタイミング（またはサブフレーム）においてＭＴＣ機器は周期的／非周期的ＣＳＩ報告を含むＰＵＣＣＨを送信しなければならないから、ＰＨＩＣＨとＰＵＣＣＨとが同一タイミング（すなわち、サブフレーム）において衝突できる。または、図１８Ｂのように、ＭＴＣ機器が周期的／非周期的ＣＳＩ報告を含むＰＵＣＣＨを送信するために受信から送信へ転換しなければならないタイミング（すなわち、保護区間を含むサブフレーム）においてＭＴＣ機器がＰＨＩＣＨを受信しなければならないから、保護区間とＰＨＩＣＨとが同一タイミング（すなわち、同一位置のサブフレーム）において衝突できる。
【０２５３】
このような衝突を解決するために、下記のようにＭＴＣ機器が動作することを提案する。
【０２５４】
ａ）ＭＴＣ機器は、ＣＳＩ報告を含むＰＵＣＣＨ送信を行わずに、ＰＨＩＣＨを受信する。ＣＳＩ報告は、次のＣＳＩ報告タイミングに到達した時に送信するか、または非周期的（ａｐｅｒｉｏｄｉｃ）ＣＳＩ報告要請にある時に送信できる。
【０２５５】
ｂ）ＭＴＣ機器はＰＨＩＣＨを受信しないでＰＵＣＣＨを送信できる。このとき、ＭＴＣ機器は、ＰＨＩＣＨを復号（ｄｅｃｏｄｉｎｇ）しない代わりに、ＮＡＣＫを受信したと仮定することができる。したがって、ＭＴＣ機器は、以後ＰＵＳＣＨを再送信できる。
【０２５６】
Ｂ．ＰＵＣＣＨとＳＰＳＰＤＳＣＨ間の衝突
【０２５７】
ＭＴＣ機器が周期的／非周期的ＣＳＩ報告を含むＰＵＣＣＨを送信しなければならないタイミング（またはサブフレーム）においてサービングセルからＳＰＳ（ｓｅｍｉ−ｐｅｒｓｉｓｔｅｎｔ  ｓｃｈｅｄｕｌｉｎｇ）ＰＤＳＣＨを受信しなければならないから、ＰＵＣＣＨとＳＰＳ  ＰＤＳＣＨとが同一タイミング（サブフレーム）において互いに衝突できる。または、ＭＴＣ機器が周期的／非周期的ＣＳＩ報告を含むＰＵＣＣＨを送信するために、受信から送信へ転換しなければならないタイミング（すなわち、保護区間を含むサブフレーム）においてＭＴＣ機器がサービングセルからＳＰＳ  ＰＤＳＣＨを受信しなければならないから、保護区間とＳＰＳ  ＰＤＳＣＨとが同一タイミング（すなわち、同一位置のサブフレーム）において衝突できる。例えば、ＭＴＣ機器がサービングセルに周期的ＣＳＩ  ｒｅｐｏｒｔを含むＰＵＣＣＨを送信しなければならないタイミング（すなわち、サブフレーム）においてサービングセルによりＳＰＳ  ＰＤＳＣＨがスケジューリングされた状況がありうる。または、ＳＰＳ  ＰＤＳＣＨがスケジューリングされたサブフレームの次のサブフレームにおいて周期的ＣＳＩ報告を含むＰＵＣＣＨを送信しなければならない状況がありうる。このとき、ＭＴＣ機器は、ＰＵＣＣＨを送信するために、受信から送信へ転換する保護区間のために、ＳＰＳ  ＰＤＳＣＨの受信とＰＵＣＣＨの送信ともを行うことができない場合が発生できる。
【０２５８】
このような衝突を解決するために、下記のようにＭＴＣ機器が動作することを提案する。
【０２５９】
ａ）ＭＴＣ機器は、ＣＳＩ報告を含むＰＵＣＣＨを送信せずに、ＳＰＳ  ＰＤＳＣＨを受信する。ＣＳＩ報告は、次のＣＳＩ報告タイミングにおいて送信するか、または非周期的ＣＳＩ報告要請がある場合に送信できる。
【０２６０】
ｂ）ＭＴＣ機器は、ＳＰＳ  ＰＤＳＣＨを受信せずにＰＵＣＣＨを送信できる。このとき、ＭＴＣ機器は、ＳＰＳ  ＰＤＳＣＨを受信しない代わりに、該当ＳＰＳ  ＰＤＳＣＨを成功的に受信できなかったと仮定し、ＰＵＣＣＨを介してＮＡＣＫを送信できる。
【０２６１】
Ｃ．ＳＲＳとＰＨＩＣＨ間の衝突
【０２６２】
ＭＴＣ機器がＳＲＳ（ｓｏｕｎｄｉｎｇ  ｒｅｆｅｒｅｎｃｅ  ｓｉｇｎａｌ）を送信しなければならないタイミング（またはサブフレーム）においてサービングセルからＰＨＩＣＨを受信しなければならないから、ＳＲＳとＰＨＩＣＨとが同一タイミング（すなわち、サブフレーム）において衝突できる。またはＭＴＣ機器がＳＲＳを送信するために受信から送信へ転換しなければならないタイミング（すなわち、保護区間を含むサブフレーム）においてＭＴＣ機器がＰＨＩＣＨを受信しなければならないから、保護区間とＳＲＳとが同一タイミング（すなわち、同一位置のサブフレーム）において衝突できる。
【０２６３】
このような衝突を解決するために、下記のようにＭＴＣ機器が動作することを提案する。
【０２６４】
ａ）ＭＴＣ機器は、ＳＲＳ送信を行わずにＰＨＩＣＨを受信する。
【０２６５】
ｂ）ＭＴＣ機器は、ＰＨＩＣＨを受信せずにＳＲＳ送信を行う。このとき、ＭＴＣ機器は、ＰＨＩＣＨを復号（ｄｅｃｏｄｉｎｇ）しない代わりに、ＮＡＣＫを受信したと仮定できる。したがって、ＭＴＣ機器は以後のＰＵＳＣＨを再送信できる。
【０２６６】
Ｄ．ＳＲＳとＳＰＳ  ＰＤＳＣＨ間の衝突
【０２６７】
ＭＴＣ機器がＳＲＳを送信しなければならないタイミング（またはサブフレーム）においてサービングセルからＳＰＳ  ＰＤＳＣＨを受信しなければならないから、ＳＲＳとＳＰＳＰＤＳＣＨとが同一タイミング（サブフレーム）において互いに衝突できる。または、ＭＴＣ機器がＳＲＳを送信するために受信から送信へ転換しなければならないタイミング（すなわち、保護区間を含むサブフレーム）においてＭＴＣ機器がサービングセルからＳＰＳ  ＰＤＳＣＨを受信しなければならないから、保護区間とＳＰＳ  ＰＤＳＣＨとが同一タイミング（すなわち、同一位置のサブフレーム）において衝突できる。
【０２６８】
このような衝突を解決するために、下記のようにＭＴＣ機器が動作することを提案する。
【０２６９】
ａ）ＭＴＣ機器は、ＳＲＳを送信せずにＳＰＳ  ＰＤＳＣＨを受信する。
【０２７０】
ｂ）ＭＴＣ機器は、ＳＰＳ  ＰＤＳＣＨを受信せずにＳＲＳ送信を行う。このとき、ＭＴＣ機器は、ＳＰＳ  ＰＤＳＣＨを受信しない代わりに、該当ＳＰＳ  ＰＤＳＣＨを成功的に受信できなかったと仮定し、ＰＵＣＣＨを介してＮＡＣＫを送信できる。
【０２７１】
ＩＶ． カバレッジ拡張が必要でないＭＴＣ機器のためのＨＤ−ＦＤＤ動作
【０２７２】
Ａ．転換時間を考慮した制御／データチャネルの送信
【０２７３】
Ａ−１．転換サブフレーム構成１を適用する場合
【０２７４】
ＨＤ−ＦＤＤ環境において、ダウンリンクからアップリンクへの転換の際、上述の転換サブフレームの構成１による転換サブフレーム（保護区間）を適用する場合、次のようなアップリンク／ダウンリンク制御／データチャネルの送信制限を置くことを提案する。
【０２７５】
ａ）ダウンリンクｇｒａｎｔ  ａｎｄ／ｏｒアップリンクｇｒａｎｔは、連続して最大２個のサブフレームを介して送信されることができる。ＭＴＣ機器がダウンリンクｇｒａｎｔまたはアップリンクｇｒａｎｔを受信する場合、４個のサブフレームの後にＭＴＣ機器は、ＡＣＫ／ＮＡＣＫ情報またはＰＵＳＣＨをアップリンク上にｅＮｏｄｅＢに送信しなければならない。以下、図１９Ａを参照して説明する。
【０２７６】
図１９Ａは、カバレッジ拡張が必要でないＭＴＣ機器のためのＨＤ−ＦＤＤ動作の一例を示した例示図である。
【０２７７】
図１９Ａを参照して分かるように、ダウンリンクからアップリンクへの転換のためには、２個のサブフレーム（２  ｍｓｅｃ）が保護区間としてダウンリンクサブフレームとアップリンクサブフレームとの間で必要であるから、最大２個の連続的なサブフレームを介してダウンリンクグラント及び／またはアップリンクグラントが送信されることができる。すなわち、複雑性を減らすために、ダウンリンク制御／データチャネルは、連続して最大２個のサブフレームを介して送信されることができる。
【０２７８】
ｂ）連続して最大２個のサブフレームを介してダウンリンクグラント及び／またはアップリンクグラントを送信する場合、最後のグラントを送信した後、最小６個のサブフレーム以後にダウンリンク制御／データチャネルの送信が行われることができる。これは、最後のダウンリンク／アップリンクグラントがサブフレームｎにおいて送信された場合、サブフレームｎ＋４においてＡ／ＮまたはＰＵＳＣＨが送信され、１ｍｓｅｃの転換時間（すなわち、保護区間）後にＭＴＣ機器がダウンリンクを行うことができるためである。または、連続最大２個のサブフレームを介してダウンリンクグラント及び／またはアップリンクグラントを送信する場合、最初のグラントを送信した後に最小８個のサブフレーム以後にダウンリンク制御／データチャネルの送信が行われることができる。これは、ダウンリンクグラントがサブフレームｎにおいて送信された場合、サブフレームｎ＋４においてＭＴＣ機器がＡ／Ｎを送信し、ＭＴＣ機器がＮＡＣＫを送信した場合、サブフレームｎ＋８以後から再送信を期待することができるためである。また、アップリンクグラントがサブフレームｎにおいて送信された場合、サブフレームｎ＋４においてＰＵＳＣＨが送信され、該当ＰＵＳＣＨに対したＡＣＫ／ＮＡＣＫがサブフレームｎ＋８においてＰＨＩＣＨを介して送信されるためである。
【０２７９】
ｃ）ＭＴＣ機器は、ＰＵＣＣＨ及び／またはＰＵＳＣＨを連続して最大３個のサブフレームを介して送信できる。ＭＴＣ機器がＰＵＣＣＨまたはＰＵＳＣＨにＮＡＣＫを送信する場合、ＭＴＣ機器は、４個のサブフレーム以後ＰＤＳＣＨの再送信を期待することができる。またＭＴＣ機器がＰＵＳＣＨを送信する場合、４個のサブフレーム後にＭＴＣ機器は、サービングセルからＰＨＩＣＨを受信することを期待することができる。以下、図１９Ｂを参照して説明する。
【０２８０】
図１９Ｂは、カバレッジ拡張が必要でないＭＴＣ機器のためのＨＤ−ＦＤＤ動作の他の例を示した例示図である。
【０２８１】
アップリンクからダウンリンクへの転換のためには、アップリンクサブフレームとダウンリンクサブフレームとの間に１個のサブフレームの長さ（１  ｍｓｅｃ）に該当する転換時間（保護区間）が必要であるから、図１９Ｂに示すように、最大３個の連続的なサブフレームを介してＰＵＣＣＨ及び／またはＰＵＳＣＨが送信されることができる。すなわち、複雑性を減らすために、アップリンク制御／データチャネルは、連続して最大３個のサブフレームを介して送信されることができる。
【０２８２】
Ａ−２．転換サブフレーム構成２を適用する場合
【０２８３】
ＨＤ−ＦＤＤ環境において、ダウンリンクからアップリンクへの転換の際、上述の転換サブフレームの構成２による転換サブフレーム（保護区間）を適用する場合、転換サブフレームのＤｗＰＴＳの間にＰＤＣＣＨが送信されることができ、ＤｗＰＴＳの長さに応じてＥＰＤＣＣＨ及び／またはＰＤＳＣＨの送信も可能でありうる。
【０２８４】
このような場合、次のようなアップリンク／ダウンリンク制御／データチャネルの送信制限を置くことを提案する。
【０２８５】
ａ）ダウンリンクグラント及び／またはアップリンクグラントは、連続して最大３個のサブフレームを介して送信されることができる。ＭＴＣ機器がダウンリンクグラントまたはアップリンクグラントを受信する場合、４個のサブフレーム後にＭＴＣ機器は、ＡＣＫ／ＮＡＣＫ情報またはＰＵＳＣＨをアップリンク上にサービングセルに送信しなければならない。以下、図２０を参照して説明する。
【０２８６】
図２０は、カバレッジ拡張が必要でないＭＴＣ機器のためのＨＤ−ＦＤＤ動作のさらに他の例を示した例示図である。
【０２８７】
図２０に示すように、ダウンリンクサブフレームとアップリンクサブフレームとの間には、２個の転換サブフレーム（Ｔと表記される）が必要である。転換サブフレームでのダウンリンクグラントの送信が可能であるかどうかは、ＤｗＰＴＳ長さによって変わる。ＤｗＰＴＳが短い場合には、転換サブフレームを介してダウンリンクグラントは送信されることができない。しかしながら、アップリンクグラントは、ＤｗＰＴＳの間に常に送信されることができる。上述の転換サブフレーム構成１を適用する時と異なり、転換サブフレームにおいてＰＤＣＣＨを送信できる場合、連続して最大３個のサブフレームを介してダウンリンクグラント及び／またはアップリンクグラントが送信されることができる。複雑性を簡素化するために、ダウンリンク制御／データチャネルは、連続して最大３個のサブフレームを介して 送信されることができる。
【０２８８】
ｂ）一方、連続して最大３個のサブフレームを介してダウンリンクグラント及び／またはアップリンクグラントを送信する場合、最後のグラントを送信した後、最小６個のサブフレーム以後にダウンリンク制御／データチャネルの送信が行うことができる。これは最後のダウンリンク／アップリンクグラントがサブフレームｎにおいて送信された場合、サブフレームｎ＋４においてＡ／ＮまたはＰＵＳＣＨが送信され、１ｍｓｅｃの転換時間（すなわち、保護区間）後にＭＴＣ機器がダウンリンクを行うことができるためである。または、連続して最大３個のサブフレームを介してダウンリンクグラント及び／またはアップリンクグラントを送信する場合、最初のグラントを送信した後、最小８個のサブフレーム以後にダウンリンク制御／データチャネルの送信が行われることができる。これは、ダウンリンクグラントがサブフレームｎにおいて送信された場合、サブフレームｎ＋４においてＭＴＣ機器がＡ／Ｎを送信し、ＭＴＣ機器がＮＡＣＫを送信した場合、サブフレームｎ＋８以後から再送信を期待することができるためである。また、アップリンクグラントがサブフレームｎにおいて送信された場合、サブフレームｎ＋４においてＰＵＳＣＨが送信され、該当ＰＵＳＣＨに対したＡＣＫ／ＮＡＣＫがサブフレームｎ＋８においてＰＨＩＣＨを介して送信されるためである。
【０２８９】
ｃ）ＭＴＣ機器は、ＰＵＣＣＨ及び／またはＰＵＳＣＨを連続して最大３個のサブフレームを介して送信できる。ＭＴＣ機器がＰＵＣＣＨまたはＰＵＳＣＨにＮＡＣＫを送信する場合、ＭＴＣ機器は、４個のサブフレーム以後ＰＤＳＣＨの再送信を期待することができる。また、ＭＴＣ機器がＰＵＳＣＨを送信する場合、４個のサブフレーム後にＭＴＣ機器は、ｅＮｏｄｅＢからＰＨＩＣＨを受信することを期待することができる。この場合、アップリンクサブフレームとダウンリンクサブフレームとの間には、１個のサブフレーム（１  ｍｓｅｃ）の保護区間が必要であるので、最大３個の連続的なサブフレームを介してＰＵＣＣＨ及び／またはＰＵＳＣＨが送信されることができる。複雑性を簡素化するために、アップリンク制御／データチャネルは、連続して最大３個のサブフレームを介して送信されることができる。
【０２９０】
Ｂ．ダウンリンクを基本状態に置く動作方法
【０２９１】
ＨＤ−ＦＤＤでのＭＴＣ機器動作のための方法として、ＭＴＣ機器は、基本的にダウンリンク状態にあることを提案する。この場合、ＭＴＣ機器は、特別な状況でなければダウンリンク搬送波周波数においてダウンリンク動作を行う。このとき、次のような状況においてＭＴＣ機器は、アップリンク動作を行うことができる。
【０２９２】
ｉ）アップリンクグラント受信：ダウンリンク状態にあったＭＴＣ機器は、サービングセルからアップリンクグラントを受信すると、ＰＵＳＣＨを送信するために、アップリンク状態に転換できる。このとき、サブフレームｎにおいてアップリンクグラントを受信すると、ＭＴＣ機器は、サブフレームｎ＋４においてＰＵＳＣＨを送信し、サブフレームｎ＋１〜ｎ＋３の間にダウンリンクからアップリンクへの転換を行う。
【０２９３】
ｉｉ）ダウンリンクグラント／ダウンリンクデータ受信：ダウンリンク状態にあったＭＴＣ機器は、サービングセルからダウンリンクグラントを受信しＰＤＳＣＨを受信すると、サービングセルにＡＣＫ／ＮＡＣＫ情報を送信するために、アップリンク状態に転換できる。このとき、サブフレームｎにおいてダウンリンクグラント／ダウンリンクデータを受信すると、ＭＴＣ機器は、サブフレームｎ＋４においてＰＵＣＣＨまたはＰＵＳＣＨにＡＣＫ／ＮＡＣＫを送信し、サブフレームｎ＋１〜ｎ＋３の間にダウンリンクからアップリンクへの転換を行う。
【０２９４】
ｉｉｉ）ＰＲＡＣＨ送信：ダウンリンク状態にあったＭＴＣ機器は、サービングセルにＰＲＡＣＨを送信する必要がある場合、サービングセルから別の命令がなくてもＰＲＡＣＨを送信するためにアップリンク状態に転換できる。
【０２９５】
ｉｖ）ＳＲ（ｓｃｈｅｄｕｌｉｎｇ  ｒｅｑｕｅｓｔ）送信：ダウンリンク状態にあったＭＴＣ機器がサービングセルに送信しようとするデータ（ｄａｔａ）が発生すると、ＭＴＣ機器は、次のような方法でサービングセルにＳＲを送信できる。
【０２９６】
ｉｖ−１）ＳＲを送信できるアップリンクサブフレームを設定することを提案する。サブフレームの特定セットは、常にアップリンク状態に存在でき、ＭＴＣ機器は、該当サブフレームを介してＳＲを送信できる。このような特定セットは、サービングセルからＳＩＢ、ＲＲＣ信号などを介して設定されることができる。このような特定セットは、周期でｏｆｆｓｅｔ値と定義されることができる。
【０２９７】
ｉｖ−２）ＭＴＣ機器は、上位階層信号を介して一つのアンテナまたは２個のアンテナにＳＲを送信するように設定されることができるが、このような場合、ＭＴＣ機器は、上位階層信号を介してＳＲを送信することのできる周期とｏｆｆｓｅｔも共に設定されることができる。このようにＳＲを送信することのできるサブフレームの位置においてＭＴＣ機器は、ＳＲを送信でき、該当サブフレームにおいてＭＴＣ機器は、アップリンク状態にあることができる。
【０２９８】
ｉｖ−３）ＭＴＣ機器は、サービングセルにＰＵＣＣＨを送信する時にＳＲを該当ＰＵＣＣＨを介して共に送信できる。この場合、別のＳＲ送信可能サブフレームが存在しなく、ＭＴＣ機器は、セービングセルに ＰＵＣＣＨを送信する場合にＳＲを送信できる。
【０２９９】
ｄ）ＭＴＣ機器は、サービングセルにＳＲを送信できない。またはＭＴＣ機器は、上位階層シグナルを介してＳＲの送信が設定されないことができる。この場合、ＭＴＣ機器は、ＰＲＡＣＨを送信することによって、サービングセルにデータ送信を要請できる。
【０３００】
Ｄ．ダウンリンク及びアップリンクのためのサブフレームパターン
【０３０１】
ＨＤ−ＦＤＤを使用するＭＴＣ機器が各サブフレームをダウンリンクサブフレームとして使用するか、またはアップリンクサブフレームとして使用するかは、サービングセルのスケジューリングにより自然に決まることができる。しかしながら、サービングセルが多いＭＴＣ機器のダウンリンク／アップリンクタイミングを考慮してスケジューリングを行わなければならない場合、サービングセルのスケジューリング複雑度が増加できる。また、サービングセルがＭＴＣ機器のアップリンク／ダウンリンク状態を誤って認識して、不必要にデータを送信する問題が発生することもできる。これを防止するために、特定のＭＴＣ機器の各サブフレームがアップリンクサブフレームとして使用されるか、またはダウンリンクサブフレームとして使用されるかが事前に決まることができる。すなわち、ＨＤ−ＦＤＤのためのダウンリンクとアップリンクのためのサブフレームパターンが事前に定義されて使用されることができる。
【０３０２】
図２１は、ダウンリンク／アップリンクサブフレームパターンの一例を示す。
【０３０３】
図２１を参照すると、ＨＤ−ＦＤＤを使用するＭＴＣ機器のアップリンク／ダウンリンク転換時間（ｇｕａｒｄ  ｔｉｍｅ）を考慮して、４０ｍｓｅｃ周期のサブフレームパターンが使用されることができる。図２０におけるＤは、ダウンリンクサブフレームを意味し、Ｕは、アップリンクサブフレームを意味する。Ｔ１は、２ｍｓｅｃの転換時間を意味し、ＤｗＰＴＳ、保護区間を含むか、またはＤｗＰＴＳ、保護区間、ＵｐＰＴＳを含むことができる。Ｔ２は、１ｍｓｅｃの転換時間を意味する。
【０３０４】
このようなサブフレームパターンは、ＭＴＣ機器別に相異なることができる。各ＭＴＣ機器のサブフレームパターンは、ＲＡＲまたはＲＲＣシグナルを介してＭＴＣ機器に設定されることができる。なお、このようなサブフレームパターンは、動的シグナルリングを介して動的に変化できる。例えば、サブフレームパターンは、ＴＤＤ  ＤＬ／ＵＬ設定のうちの何れか一つに設定できる。したがって、例えば、ＨＡＲＱ−ＡＣＫ及びＰＵＳＣＨの送信タイミングは、ＴＤＤＤＬ／ＵＬ設定に応じて決定されることができる。また、保護区間のため使用できないサブフレームが発生する場合、サービングセルは、これを上位階層シグナルを介してビットマップ形態でＭＴＣ機器に知らせることができる。
【０３０５】
Ｖ．カバレッジ拡張が必要なＭＴＣ機器のためのＨＤ−ＦＤＤ動作
【０３０６】
以下、カバレッジ拡張が必要な場合、ＭＴＣ機器のＨＤ−ＦＤＤ動作のために必要な事項について説明する。
【０３０７】
Ａ．繰り返し送信のために制限される送信
【０３０８】
Ａ−１．ダウンリンクグラントとアップリンクグラントの同時送信制限
【０３０９】
カバレッジ拡張が必要なＭＴＣ機器がＨＤ−ＦＤＤで動作する場合、サービングセルは、ダウンリンクグラントとアップリンクグラントを同時に送信しないことを提案する。これは、ダウンリンクグラントとアップリンクグラントとが同一サブフレームを介して送信されないことを意味する。または、これはダウンリンク（アップリンク）グラントが送信される（Ｅ）ＰＤＣＣＨバンドルの送信を終える前に、アップリンク（ダウンリンク）グラントが送信される（Ｅ）ＰＤＣＣＨバンドルが送信されることができないことを意味する。以下、図面を参照して説明する。
【０３１０】
図２２Ａ及び図２２Ｂは、カバレッジ拡張が必要なＭＴＣ機器のためのＨＤ−ＦＤＤ動作の一例を示した例示図である。
【０３１１】
上述のように、ダウンリンクグラントとアップリンクグラントがＭＴＣ機器に同時に送信されると、ＭＴＣ機器は、同じサブフレーム領域においてＰＤＳＣＨの受信とＰＵＳＣＨの送信を同時に行わなければならない問題が発生できる。したがって、このような状況が発生するのを防止するために、図２２Ａ及び図２２Ｂに示すように、ダウンリンクグラントとアップリンクグラントが同時に送信されないことを提案する。
【０３１２】
図２３Ａ及び図２３Ｂは、カバレッジ拡張が必要なＭＴＣ機器のためのＨＤ−ＦＤＤ動作の他の一例を示した例示図である。
【０３１３】
ＰＤＳＣＨバンドルの送信が終了するサブフレームをサブフレームｎとするとき、サブフレームｎ−３以前にアップリンクグラントの送信が完了（終了）しないことを提案する。すなわち、ＰＤＳＣＨバンドルの送信中にアップリンクグラントが送信される（Ｅ）ＰＤＣＣＨバンドルが同時に送信される場合、該当アップリンクグラントが送信される（Ｅ）ＰＤＣＣＨバンドルの送信は、サブフレームｎ−２以後に完了しなければならない。図２３Ａ及び図２３Ｂに示すように、ＰＤＳＣＨバンドルの送信が完了するサブフレームの２個のサブフレーム以後にアップリンクグラントの送信が完了すると、ＭＴＣ機器は、アップリンクグラントとＰＤＳＣＨの受信を全部完了した後、ダウンリンクからアップリンクへの転換を行い、その後にＰＵＳＣＨの送信を安定的に行うことができるためである。複雑性を簡素化するために、ＰＤＳＣＨバンドルが送信が終了するサブフレーム以前にアップリンクグラントの送信が完了することができない。
【０３１４】
一方、ＰＤＳＣＨバンドルが送信される間に、ダウンリンクグラントを送信しないことを提案する。例えば、サブフレームｎにおいてＰＤＳＣＨバンドルの送信が完了すると、ＭＴＣ機器は、ダウンリンクからアップリンクへ状態を転換して、サブフレームｎ＋４からＡＣＫ／ＮＡＣＫをサービングセルに送信しなければならない。このとき、ＰＤＳＣＨバンドルが送信される間にダウンリンクグラントが共に送信されると、ＭＴＣ機器は、ＰＤＳＣＨに対したＡＣＫ／ＮＡＣＫを送信しなければならないタイミングに新しいダウンリンクグラントに対するＰＤＳＣＨバンドルを受信しなければならない。ＨＤ−ＦＤＤ環境において動作するＭＴＣ機器は、このような動作を行うことができない。したがって、ＰＤＳＣＨバンドルが送信される間に、（Ｅ）ＰＤＣＣＨを介してさらに他のＰＤＳＣＨを送信するためのダウンリンクグラントは送信されることができない。
【０３１５】
また、ＰＨＩＣＨバンドルが送信される間に、ダウンリンクグラントを送信しないことを提案する。例えば、サブフレームｎにおいてＰＨＩＣＨバンドルの送信が完了し該当ＰＨＩＣＨを介してＮＡＣＫが送信されると、ＭＴＣ機器は、ダウンリンクからアップリンクへ状態を転換して、サブフレームｎ＋４からＰＵＳＣＨをサービングセルに再送信しなければならない。このとき、ＰＨＩＣＨバンドルが送信される間にダウンリンクグラントが共に送信されると、ＭＴＣ機器は、ＰＵＳＣＨ再送信を行わなければならないタイミングに新しいダウンリンクグラントに対するＰＤＳＣＨバンドルを受信しなければならない。ＨＤ−ＦＤＤ環境において動作するＭＴＣ機器は、このような動作を行うことができない。したがって、ＰＨＩＣＨバンドルが送信される間に、（Ｅ）ＰＤＣＣＨを介してダウンリンクグラントは送信されることができない。
【０３１６】
以上説明した、本発明の実施の形態は、多様な手段により具現化されることができる。例えば、本発明の実施の形態は、ハードウェア、ファームウェア（ｆｉｒｍｗａｒｅ）、ソフトウェアまたはそれらの結合などにより具現化されることができる。具体的には、図面を参照して説明する。
【０３１７】
図２４は、本明細書の開示が具現化される無線通信システムを示したブロック図である。
【０３１８】
基地局２００は、プロセッサ（ｐｒｏｃｅｓｓｏｒ）２０１、メモリ（ｍｅｍｏｒｙ）２０２及びＲＦ部（ｒａｄｉｏ周波数）２０３）を備える。メモリ２０２は、プロセッサ２０１に接続されて、プロセッサ２０１を駆動するための多様な情報を格納する。ＲＦ部２０３は、プロセッサ２０１に接続されて、無線信号を送信及び／または受信する。プロセッサ２０１は、提案された機能、過程及び／または方法を具現する。上述の実施の形態において基地局の動作は、プロセッサ２０１により具現化されることができる。
【０３１９】
ＭＴＣ機器１００は、プロセッサ１０１、メモリ１０２及びＲＦ部１０３を備える。メモリ１０２は、プロセッサ１０１に接続されて、プロセッサ１０１を駆動するための多様な情報を格納する。ＲＦ部１０３は、プロセッサ１０１に接続されて、無線信号を送信及び／または受信する。プロセッサ１０１は、提案された機能、過程及び／または方法を具現する。
【０３２０】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を備えることができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を備えることができる。ＲＦ部は、無線信号を処理するためのベースバンド回路を備えることができる。実施の形態がソフトウェアにより具現化されるとき、上述の技法は、上述の機能を行うモジュール（過程、機能など）により具現化されることができる。モジュールは、メモリに格納され、プロセッサにより実行されることができる。メモリは、プロセッサの内部または外部にあることができ、周知の多様な手段によりプロセッサに接続されることができる。
【０３２１】
上述の例示的なシステムにおいて、方法は、一連のステップまたはブロックでフローチャートに基づいて説明されているが、本発明は、ステップの順序に限定されるものではなく、あるステップは、上述と異なるステップと異なる順にまたは同時に発生できる。また、当業者であれば、フローチャートに示したステップが排他的でなく、他のステップが含まれるか、またはフローチャートの一つまたはそれ以上のステップが本発明の範囲に影響を及ぼさないで削除されうることを理解できるはずである。
【図１】
0006396487.tif 000012
【図２】
0006396487.tif 000013
【図３】
0006396487.tif 000014
【図４】
0006396487.tif 000015
【図５】
0006396487.tif 000016
【図６】
0006396487.tif 000017
【図７】
0006396487.tif 000018
【図８】
0006396487.tif 000019
【図９】
0006396487.tif 000020
【図１０Ａ】
0006396487.tif 000021
【図１０Ｂ】
0006396487.tif 000022
【図１１Ａ】
0006396487.tif 000023
【図１１Ｂ】
0006396487.tif 000024
【図１２Ａ】
0006396487.tif 000025
【図１２Ｂ】
0006396487.tif 000026
【図１３Ａ】
0006396487.tif 000027
【図１３Ｂ】
0006396487.tif 000028
【図１４Ａ】
0006396487.tif 000029
【図１４Ｂ】
0006396487.tif 000030
【図１５】
0006396487.tif 000031
【図１６】
0006396487.tif 000032
【図１７】
0006396487.tif 000033
【図１８Ａ】
0006396487.tif 000034
【図１８Ｂ】
0006396487.tif 000035
【図１９ａ】
0006396487.tif 000036
【図１９ｂ】
0006396487.tif 000037
【図２０】
0006396487.tif 000038
【図２１】
0006396487.tif 000039
【図２２ａ】
0006396487.tif 000040
【図２２ｂ】
0006396487.tif 000041
【図２３ａ】
0006396487.tif 000042
【図２３ｂ】
0006396487.tif 000043
【図２４】
0006396487.tif 000044